(57)【要約】  ４つの異なるネットワークに関連付けられた４つの装置のユーザは、ユーザの異なる装置の全てに対する汎用電話サービスの１組を管理できる。ユーザは、全ての装置へ実際に割り当てられた１つの電話番号を受信できる。汎用サービスの集中型のサービスプロバイダは、サービスを提供するためにＩＰネットワークを利用でき、最新の技術的進歩を利用できる。更に、ＩＰベースのネットワークを使用することは、汎用サービスの集中型のサービスプロバイダが、同じパケットベースの技術を使用して音声とデータを連続的に統合することを可能にする。単一のサービスプロバイダは、顧客の全ての電話装置のための顧客に対する単一のポイントであり、単一の請求者、１つの顧客サポート番号、等を含む。集中型のＩＰネットワークを使用して単一のサービスプロバイダによって提供できる機能のリストは、単一の既存ネットワーク（例えば、ＰＳＴＮ、セルラ）上で利用可能な機能を超える。
2008516534.tif 000002
【特許請求の範囲】
【請求項１】
複数の異なるネットワークに関連付けられた複数の装置を有する加入者に共通の電話サービスを提供するための方法であって、前記方法が、
同一の一意な識別子を第１ネットワークと第２ネットワークに関連付けられた第１電話装置と第２電話装置にそれぞれ割り当てること、
前記一意な識別子に関連付けられた呼セットアップ要求をパケットベースのネットワークを介して受信すること、及び
ルーティング優先度に基づいて前記第１装置、前記第２装置、又は前記第１装置と前記第２装置から／に呼をパケットベースのネットワークを介してルーティングすることの諸ステップを含むことを特徴とする方法。
【請求項２】
前記一意な識別子が電話番号を含む、請求項１に記載の方法。
【請求項３】
前記一意な識別子が universal resource location （ＵＲＬ）を含む、請求項１に記載の方法。
【請求項４】
前記第１ネットワークからの前記第１装置による前記呼セットアップ要求を発生し、データチャネルを介して、前記パケットベースのネットワークに被呼番号を送信することを含み、
ルーティングは前記第１装置から／に呼をルーティングすることを含み、及び
前記ルーティング優先度は呼を発生する前記第１装置に基づくことの諸ステップを更に含む、請求項１に記載の方法。
【請求項５】
前記パケットベースのネットワークによって、前記被呼番号を使用するコールレグを確立すること、及び
前記パケットベースのネットワークによって、前記被呼番号に関連付けられた前記コールレグと前記第１装置から／にルーティングされた前記呼を接続することの諸ステップを更に含む、請求項４に記載の方法。
【請求項６】
前記データ経路は、汎用パケット無線システム（ＧＰＲＳ）規格、 enhanced data rates for GSM evolution （ＥＤＧＥ）規格、 universal mobile telecommunications system （ＵＭＴＳ）規格、広帯域符号分割多重アクセス（Ｗ−ＣＤＭＡ）規格、 1 times radio transmission technology （１ｘ−ＲＴＴ）規格、 1 times evolution - data only （１ｘＥｖ−ＤＯ）規格、又はＣＤＭＡ２０００規格に基づく、請求項４に記載の方法。
【請求項７】
前記パケットベースのネットワークによって、前記第１装置に対する前記被呼番号に関連付けられた一時的な電話番号を提供することのステップを更に含む、請求項４に記載の方法。
【請求項８】
前記発生するステップが、前記一時的な電話番号を使用して発生することを含む、請求項７に記載の方法。
【請求項９】
前記提供するステップが、前記データチャネルを介して前記一時的な電話番号を提供することを含む、請求項７に記載の方法。
【請求項１０】
前記パケットベースのネットワークによって、前記一時的な電話番号を前記被呼番号に関連付けるステップを更に含む、請求項７に記載の方法。
【請求項１１】
前記パケットベースのネットワークによって、前記被呼番号を使用するコールレグを確立すること、及び
前記パケットベースのネットワークによって、前記被呼番号に関連付けられた前記コールレグと前記第１装置から／にルーティングされた前記呼を接続することの諸ステップを更に含む、請求項１０に記載の方法。
【請求項１２】
前記第１ネットワークから前記第１装置によって前記呼セットアップ要求を発生することを更に含み、
ルーティングは、前記第２装置に前記呼をルーティングすることを含む、請求項１に記載の方法。
【請求項１３】
キーを押す順番を使用して前記ルーティング優先度を決定することを更に含む、請求項１２に記載の方法。
【請求項１４】
前記キーを押す順番は、前記第２装置との関連を含む、請求項１３に記載の方法。
【請求項１５】
前記パケットベースのネットワークと前記第１ネットワークの間の通信を容易にするために、第１エッジサーバを割り当てること、及び
前記パケットベースのネットワークと前記第２ネットワークの通信を容易にするために、第２エッジサーバを割り当てることの諸ステップを更に含む、請求項１に記載の方法。
【請求項１６】
前記第１ネットワークで発生する前記一意な識別子に関連付けられた全ての呼を、前記パケットベースのネットワークにルーティングすることを更に含む、請求項１に記載の方法。
【請求項１７】
前記第１装置によって発生した全ての呼を、前記パケットベースのネットワークに関連付けられたエッジサーバにルーティングするために、専用回路を前記第１ネットワークによって利用することを更に含む、請求項１６に記載の方法。
【請求項１８】
前記第１ネットワークによって、前記第１装置によって発生した全ての呼に対してインジケータを追加することを更に含む、請求項１６に記載の方法。
【請求項１９】
前記インジケータが、１又は複数のディジットのプレフィックスを含む、請求項１８に記載の方法。
【請求項２０】
前記インジケータが、搬送波コードを含む、請求項１８に記載の方法。
【請求項２１】
前記パケットベースのネットワークが、前記第１ネットワーク、又は前記第２ネットワークと無関係である請求項１に記載の方法。
【請求項２２】
前記第１ネットワークが、前記第２ネットワークと無関係である、請求項１に記載の方法。
【請求項２３】
前記第１ネットワークが、前記第２ネットワークと異なる技術に基づく、請求項１に記載の方法。
【請求項２４】
前記第１電話装置は、単一の物理的装置に含まれる第１無線装置であり、前記第２電話装置は、単一の物理的装置に含まれる第２無線装置である、請求項１に記載の方法。
【請求項２５】
前記第１ネットワークは陸線電話網を含み、前記第２ネットワークは無線電話ネットワークを含む、請求項１に記載の方法。
【請求項２６】
前記第１ネットワークが陸線電話ネットワークを含み、ＬＲＮを使用することによって、前記第１ネットワークの前記第１装置に呼をルーティングすることを更に含む、請求項１に記載の方法。
【請求項２７】
前記一意な識別子をＧＡＰディジットに挿入することを更に含む、請求項２６に記載の方法。
【請求項２８】
前記第１ネットワークが携帯電話ネットワークを含み、ＴＬＤＮを使用することによって、前記第１ネットワークの前記第１装置に呼をルーティングすることを更に含む、請求項１に記載の方法。
【請求項２９】
前記第１ネットワークも前記第２ネットワークも構内交換機（ＰＢＸ）を含まない、請求項１に記載の方法。
【請求項３０】
前記共通の電話サービスが、全ての装置に対して、静穏時、並行呼出、及び単一の音声メールを含む請求項１に記載の方法。
【請求項３１】
加入者が、前記ルーティング優先度を定めることを可能にされる、請求項１に記載の方法。
【請求項３２】
前記ルーティング優先度のデフォルト値を定めることが、
第１に、前記加入者に関連付けられたＷＬＡＮ装置へルーティングすること、
第２に、前記加入者に関連付けられたセルラ装置へルーティングすること、
第３に、前記加入者に関連付けられた地上線装置へルーティングすることを含む、請求項１に記載の方法。
【請求項３３】
複数の異なるネットワークに関連付けられた複数の装置を有する加入者に共通の電話サービスを提供するための方法であって、前記方法が、
第１ネットワークに関連付けられた第１電話装置、及び第２ネットワークに関連付けられた第２電話装置に、前記加入者に関連付けられた共通の電話サービスを提供することができる集中型のパケットベースのネットワークを提供すること、及び
前記集中型のパケットベースのネットワークに前記加入者への／からの発呼をルーティングすることを含むことを特徴とする方法。
【請求項３４】
複数の異なるネットワークに関連付けられた複数の装置を有する加入者に集中型の電話サービスを提供するために構成されたパケットベースの通信ネットワークであって、
異種の技術を使用して電話サービスを提供する通信ネットワークの各々と通信する複数のエッジサーバ、及び
ルーティング優先度に基づいて異種の通信ネットワークの１つを通して、加入者に関連付けられた第１電話装置に呼をルーティングするために構成された、１又は複数のプロバイダサーバを含み、
第１電話装置は加入者に関連付けられた複数の電話装置の１つであり、複数の電話装置が同一の識別子に割り当てられ、複数の通信ネットワークに対応することを特徴とする通信ネットワーク。
【請求項３５】
前記１又は複数のプロバイダサーバが、呼サーバ、ルートサーバ、及びアプリケーション・サーバを含む、請求項３４に記載のネットワーク。
【請求項３６】
複数のネットワークに関連付けられた複数の装置に対する共通の電話サービスのために、情報媒体の中に実在するコンピュータ・プログラム・プロダクトであって、コンピュータ・プログラム・プロダクトは、データ処理装置が、
第１ネットワークと第２ネットワークに関連付けられた第１電話装置と第２電話装置の各々に同一の一意な識別子を割り当てさせ、
第１ネットワーク、又は第２ネットワークから一意な識別子に関連付けられた呼をパケットベースのネットワークを介して受信し、及び
ルーティング優先度に基づいて第１装置、第２装置、又は第１装置と第２装置に呼をパケットベースのネットワークを介してルーティングするように動作可能な命令を含む、コンピュータ・プログラム・プロダクト。
【請求項３７】
複数のネットワークに関連付けられた複数の装置に対する共通の電話サービスのためのシステムであって、
第１ネットワークに関連付けられた第１装置からの第１呼をサービスプロバイダ・ネットワークにルーティングするための手段、
第２ネットワークに関連付けられた第２装置からの第２呼をサービスプロバイダ・ネットワークにルーティングするための手段、及び
前記第１装置、又は前記第２装置を使用して加入者から／に発せられる各呼に、共通のサービスを適用するための手段を含むシステム。
【請求項３８】
複数の異なるネットワークに対応する複数の装置を有する加入者と一体の集中型のパケットベースのネットワークにおける、加入者の第１装置から加入者の第２装置に対する呼のハンドオフのための方法であって、
一意な識別子は複数の装置に関連付けられた加入者に関連付けられ、複数の異なるネットワークに対応する複数の装置の各々に同一の一意な識別子を割り当てること、
一意な識別子に関連付けられた呼を集中型のパケットベースのネットワークによって受信すること、
複数のネットワークの第１通信ネットワークで使用される複数の装置の第１装置に呼を集中型ネットワークによってルーティングすること、
複数のネットワークの第２通信ネットワークで使用される複数の装置の第２装置にコールレグを集中型ネットワークによって確立すること、及び
コールレグが確立された後に、第２装置に呼を集中型ネットワークによってルーティングすることの諸ステップを含むことを特徴とする方法。
【請求項３９】
前記一意な識別子が電話番号を含む、請求項３８に記載の方法。
【請求項４０】
前記一意な識別子が universal resource location （ＵＲＬ）を含む、請求項３８に記載の方法。
【請求項４１】
前記パケットベースのネットワークにルーティングされる、前記第１ネットワークで発生した前記一意な識別子に対して全ての呼を配向することを更に含む、請求項３８に記載の方法。
【請求項４２】
前記第１装置によって発生した全ての呼を、前記パケットベースのネットワークに関連付けられたエッジサーバにルーティングするために、専用回路を前記第１ネットワークによって利用することを更に含む、請求項４１に記載の方法。
【請求項４３】
前記第１ネットワークによって、前記第１装置によって発生した全ての呼に対してインジケータを追加することを更に含む、請求項４１に記載の方法。
【請求項４４】
前記インジケータが、１又は複数のディジットのプレフィックスを含む、請求項４３に記載の方法。
【請求項４５】
前記インジケータが、搬送波コードを含む、請求項４３に記載の方法。
【請求項４６】
前記集中型のネットワークと前記第１ネットワークの間の通信を容易にするために、第１エッジサーバを割り当てること、及び
前記集中型のネットワークと前記第２ネットワークの通信を容易にするために、第２エッジサーバを割り当てることの諸ステップを更に含む、請求項３８に記載の方法。
【請求項４７】
前記第１装置から前記第２装置に対する呼の転送を開始するために、指示を受信することを更に含む、請求項３８に記載の方法。
【請求項４８】
前記指示が、キーを押す順番に関連付けられた１又は複数のＤＴＭＦトーンの予め定められた順番を含む、請求項４７に記載の方法。
【請求項４９】
前記第１装置によって、転送が望ましいかを決定すること、及び
指示を集中型ネットワークに送信することの諸ステップを更に含む、請求項４７に記載の方法。
【請求項５０】
指示を、ＷＬＡＮ電話の登録を周期的にモニタすることに基づいて決定することを更に含む、請求項４７に記載の方法。
【請求項５１】
指示を、信号強度を周期的にモニタすることに基づいて決定することを更に含む、請求項４７に記載の方法。
【請求項５２】
指示を送信するために、セルラ・ネットワークを通るデータ経路はを使用することを更に含む、請求項４７に記載の方法。
【請求項５３】
前記データ経路は、汎用パケット無線システム（ＧＰＲＳ）規格、 enhanced data rates for GSM evolution （ＥＤＧＥ）規格、 universal mobile telecommunications system （ＵＭＴＳ）規格、広帯域符号分割多重アクセス（Ｗ−ＣＤＭＡ）規格、 1 times radio transmission technology （１ｘ−ＲＴＴ）規格、 1 times evolution - data only （１ｘＥｖ−ＤＯ）規格、又はＣＤＭＡ２０００規格に基づく、請求項５２に記載の方法。
【請求項５４】
前記集中型ネットワークによって、前記第１装置から前記第２装置に前記呼を転送することを決定することを更に含む、請求項３８に記載の方法。
【請求項５５】
前記集中型ネットワークが、前記第１ネットワーク、又は前記第２ネットワークと無関係である、請求項３８に記載の方法。
【請求項５６】
前記第１ネットワークが、前記第２ネットワークと無関係である、請求項３８に記載の方法。
【請求項５７】
前記第１ネットワークが、前記第２ネットワークと異なる技術に基づく、請求項３８に記載の方法。
【請求項５８】
前記第１電話装置は、単一の物理的装置に含まれる第１無線装置であり、前記第２電話装置は、単一の物理的装置に含まれる第２無線装置である、請求項３８に記載の方法。
【請求項５９】
第２無線装置がアクティブ・モードであるとき、第１無線装置によって待機モードに遷移できる、請求項５８に記載の方法。
【請求項６０】
第１無線装置がアクティブ・モードであるとき、第２無線装置によって待機モードに遷移できる、請求項５８に記載の方法。
【請求項６１】
前記第１ネットワークは陸線電話網を含み、前記第２ネットワークは無線電話ネットワークを含む、請求項３８に記載の方法。
【請求項６２】
前記第１ネットワークが陸線電話ネットワークを含み、ＬＲＮを使用することによって、前記第１ネットワークの前記第１装置に呼をルーティングすることを更に含む、請求項３８に記載の方法。
【請求項６３】
前記一意な識別子をＧＡＰディジットに挿入することを更に含む、請求項６２に記載の方法。
【請求項６４】
前記第１ネットワークが携帯電話ネットワークを含み、ＴＬＤＮを使用することによって、前記第１ネットワークの前記第１装置に呼をルーティングすることを更に含む、請求項３８に記載の方法。
【請求項６５】
前記第１ネットワークも前記第２ネットワークも構内交換機（ＰＢＸ）を含まない、請求項３８に記載の方法。
【請求項６６】
複数の異なるネットワークに関連付けられた複数の装置を有する加入者に関連付けられた呼をサービスプロバイダ・ネットワークによって受信すること、及び
呼が処理される間に、第１通信ネットワークに関連付けられた複数の装置の第１装置から第２通信ネットワークで使用される複数の装置の第２装置に対する呼のハンドオフをサービスプロバイダ・ネットワークによって実行することの諸ステップを含むことを特徴とする方法。
【請求項６７】
システムであって、
一意な識別子は複数の装置に関連付けられた加入者に関連付けられ、複数の異なるネットワークに対応する複数の装置の各々に同一の一意な識別子を割り当てるように、
一意な識別子に関連付けられた呼を集中型のパケットベースのネットワークによって受信するように、
複数のネットワークの第１通信ネットワークで使用される複数の装置の第１装置に呼を集中型ネットワークによってルーティングするように、
複数のネットワークの第２通信ネットワークで使用される複数の装置の第２装置にコールレグを集中型ネットワークによって確立するように、及び
コールレグが確立された後に、第２装置に呼を集中型ネットワークによってルーティングするように構成された複数のサーバを含むシステム。
【請求項６８】
複数のネットワークに関連付けられた複数の装置に対する共通の電話サービスのために、情報媒体の中に実在するコンピュータ・プログラム・プロダクトであって、コンピュータ・プログラム・プロダクトは、データ処理装置が、
一意な識別子は複数の装置に関連付けられた加入者に関連付けられ、複数の異なるネットワークに対応する複数の装置の各々に同一の一意な識別子を割り当てるように、
一意な識別子に関連付けられた呼を集中型のパケットベースのネットワークによって受信するように、
複数のネットワークの第１通信ネットワークで使用される複数の装置の第１装置に呼を集中型ネットワークによってルーティングするように、
複数のネットワークの第２通信ネットワークで使用される複数の装置の第２装置にコールレグを集中型ネットワークによって確立するように、及び
コールレグが確立された後に、第２装置に呼を集中型ネットワークによってルーティングするように動作可能な命令を含む、コンピュータ・プログラム・プロダクト。
【請求項６９】
複数のネットワークに関連付けられた複数の装置に対する共通の電話サービスのためのシステムであって、
第１ネットワークに関連付けられた第１装置からサービスプロバイダ・ネットワークに呼をルーティングするための手段、及び
呼が処理される間に、第１装置から第２ネットワークに関連付けられた第２装置に対する呼をサービスプロバイダ・ネットワークに転送するための手段を含むことを特徴とするシステム。
【発明の詳細な説明】
【技術分野】
【０００１】
本発明は、複数のネットワークに関連付けられた複数の装置に対する共通の電話サービスに関する。
略号
本明細書は略号を使用して、以下に定められる種々のサービス、メッセージ、及びシステム構成要素を表す。
1 times Evolution - Data Only    (1xEv-DO)
1 times Radio Transmission Technology    (1x-RTT)
米国規格協会    (ANSI)
符号分割多重アクセス    (CDMA)
Compact Wireless Markup Language    (CWML)
Dual Tone Multi Frequency    (DTMF)
Enhanced Data Rates for GSM Evolution    (EDGE)
ゲートウェイ交換機    (GMSC)
汎用パケット無線サービス    (GPRS)
汎用アドレスパラメータ    (GAP)
Global System for Mobile communications    (GSM)
ホーム位置レジスタ    (HLR)
Initial Address Message    (IAM)
米国電気電子学会    (IEEE)
統合サービスディジタル網    (ISDN)
ISDN User Part    (ISUP)
インターネットプロトコル    (IP)
インターネット接続サービス業者    (ISP)
Line Access Gateway    (LAG)
番号ポータビリティ    (LNP)
位置ルーティング番号    (LRN)
移動通信交換局    (MSC)
仮想移動体通信事業者    (MVNO)
Number Portability Administration Center    (NPAC)
Packet Data Serving Node    (PDSN)
パーソナル通信サービス    (PCS)
携帯情報端末    (PDA)
個人識別番号    (PIN)
構内交換機    (PBX)
公衆交換電話網    (PSTN)
無線アクセス・ネットワーク    (RAN)
無線ネットワーク制御装置    (RNC)
第２世代    (2G)
セッション開始プロトコル    (SIP)
信号方式７    (SS7)
Temporary Local Directory Number    (TLDN)
ターミナルアダプタ    (TA)
時分割多重アクセス    (TDMA)
時分割多重化    (TDM)
伝送制御プロトコル／インターネットプロトコル    (TCP/IP)
Universal Mobile Telecommunications System    (UMTS)
Uniform/Universal Resource Locator    (URL)
Voice Over Internet Protocol    (VoIP)
広域ネットワーク    (WAN)
広帯域符号分割多重アクセス    (W-CDMA)
無線アプリケーションプロトコル    (WAP)
無線ＬＡＮ    (WLAN)
【背景技術】
【０００２】
一般に、各電話サービス事業者（例えば、 AT&T, Verizon, Sprint, MCI, 等）は自前のネットワークを構築しており、自社のサービスを提供して電話加入者のシェアを得るために争う。おそらく、米国で、最も一般的で広く使われる電話は、陸線電話である。陸線電話は、電線を通して電話サービス事業者に物理的に接続される電話である（例えば、壁の電話ジャックにプラグを差し込む電話）。また、これらの装置は、ワイヤライン装置とも呼ばれる。ユーザが家の内部を歩き回ることを可能にする多様な無線装置が存在するが、ベース受信器は個人に属し（例えば、その世帯に居住していない他の加入者によって共有されない）、壁にプラグを差し込まれ、電線を介して地域の接続業者から／に信号を送信／受信する。陸線電話の中には、追加機能を有さず、アナログ信号を地域の接続業者から／に更に送信／受信するものもある。これらの「ダム」電話は、黒電話と呼ばれることもある。企業は、電話サービスをユーザに広帯域接続（例えば、ＤＳＬ、ケーブル、等）を介して加入者宅へ提供することを開始した。例えば、ケーブル会社の電話サービスの加入者は、アナログ電話（例えば、黒電話）を家の内側で使用する。これらの状況では、ケーブル会社の呼を処理する電話交換機へケーブルで伝達されるディジタル信号にアナログ信号を変換する変換器ボックスが存在する。
【０００３】
他の種々の地上線（ワイヤライン）電話は、ディジタル電話、及びインターネットプロトコル（ＩＰ）電話を含む。いくつかの実施例では、これらの電話は会社においてデジタル・ネットワークにプラグ接続される。会社は構内交換機（ＰＢＸ）を使用して、呼を会社内部の他の内線電話へ適切にルーティングするか、又はもし被呼者が会社の外部なら、公衆交換電話網（ＰＳＴＮ）にルーティングする。ＩＰ上の音声（ＶｏＩＰ）技術の継続的な改善を用いて、会社の中には電話サービスをインターネット接続上で提供しようとする会社もあり、例えば、デスクトップ・コンピュータのマイクロフォン、及びスピーカを電話サービスのためのハンドセットに変更する。上記の地上線電話の上記実施例のいくつかは、固定電話と称することができる。何故ならば、それらの使用が、接続線によって設定される位置（又は、無線固定装置の場合は、ハンドセットと関連付けられた個人の基地局の間の信号の範囲）に固定されるからである。
【０００４】
固定されない電話装置のクラスは、携帯電話と称される。これらの電話は、移動式である。何故ならば、それらが、加入者を識別する１又は複数の基地局へ無線信号を送受信できる任意の位置で実質的に動作できるからである。多くの異なる多様な携帯電話、例えば、携帯電話、衛星電話、及び無線ＬＡＮ（ＷＬＡＮ）電話が存在する。携帯電話は、セルと呼ばれる一定の区域に対してサービス区域を提供する基地局と通信する。無線式の地上線装置とは異なり、これらの基地局は、その無線ネットワークの全加入者の携帯機器と通信する。携帯電話が移動するとき、呼は装置と一緒に移動して、１つの基地局から他の基地局へ転送（ハンドオフと称される）される。セルラ・ネットワークを実施するために使用される種々の技術が存在する。例えば、セルラ・ネットワークは、（例えば、パーソナル通信サービス（ＰＣＳ）ネットワークに対して）異なる周波数スペクトル（例えば、８００ＭＨｚスペクトル、及び１９００ＭＨｚスペクトル）の範囲内で動作できる。セルラ・ネットワークは、搬送周波数チャネルに複数の発呼者を取り込むための異なる多重化技術を使用できる。例えば、米国のネットワークは、 global system for mobile communications （ＧＳＭ）規格、時分割多重アクセス（ＴＤＭＡ）規格、又は符号分割多重アクセス（ＣＤＭＡ）規格に基づき得る。
【０００５】
出現する他のモバイル技術は、ＷＬＡＮ携帯機器である。ＷＬＡＮ装置は、ＩＰベースのネットワークのアクセスポイントと通信するＩＰベースの携帯機器である。いくつかの実施例では、ＷＬＡＮ装置とアクセスポイントの間の通信は、米国電気電子学会（ＩＥＥＥ）８０２．１１規格（例えば、８０２．１１ａ，８０２．１１ｂ，８０２．１１ｇ，等、Ｗｉ−Ｆｉとも称される）に従う。ＷＬＡＮ装置は、ＶｏＩＰ技術を使用してＩＰベースのネットワークによって電話の呼び出しが起こることを可能にする。他の実施例では、ＷＬＡＮ技術は、超広帯域無線（例えば、ＩＥＥＥ  ８０２．１５規格）、及びＷｉＭＡＸ（例えば、ＩＥＥＥ  ８０２．１６規格）、 Bluetooth に準拠のネットワーク、等を含み得る。
【０００６】
一般に、人々は２つの陸線電話（例えば、１つは自宅、１つは職場）、及び（例えば、自宅と職場の間で通信する）携帯電話を使用する。また、無線ネットワークに接続して、データ（例えば、電子メール、及びウェブページ）を送受信するデータ装置（例えば、携帯情報端末（ＰＤＡ））を有する者もいる。また、これら無線接続されたＰＤＡ装置は、加入者に電話サービスも提供する。しばしば、４つの装置は、４つの異なる会社によって運営される４つの異なるネットワークを使用する。これは、加入者へ常に到達できることを間違いなくするために他人が与える４つの異なる電話番号をもたらす。
【０００７】
サービスプロバイダの中には、フォロー・ミー・サービスを提供するものもある。サービスプロバイダに加入者が与える優先順位を付けられた電話番号に従って、これらのフォロー・ミー・サービスは加入者への入呼を１つの装置から他の装置へ転送する。例えば、もし加入者が自宅の地上線電話に対してサービスプロバイダと一体のフォロー・ミー・サービスを有するなら、電話番号の優先順位を付けられたリストに従って、フォロー・ミー・サービスは自宅の地上線電話からの入呼を職場の地上線電話へ最初に転送し、次に加入者の携帯電話へ転送する。もし加入者が何れの装置にも応答しなければ、サービスプロバイダは自宅の地上線電話に関連付けられた音声メールボックスに呼を送信する。フォロー・ミー・サービスは呼転送サービスなので、フォロー・ミー・サービスは反対方向では機能しない。もし誰かが加入者の携帯電話を最初に呼び出して応答がなければ、携帯電話に対するサービスプロバイダは、その携帯電話ネットワークのための音声メールシステムに呼を配向する。次に、加入者は、逃した呼の全てを確実に聞くためにチェックする複数のメールボックスを有する。もし携帯電話ネットワークのサービスプロバイダもフォロー・ミー・サービスを提供したら、携帯電話ネットワークのサービスプロバイダと一体の電話番号の優先順位を付けられた他のリストを加入者は設定できる。この典型的な実施例では、４つの装置を有する人物は、４つの電話番号、４つのフォロー・ミー・サービス、４つの音声メールボックス、等を管理する。
【発明の開示】
【発明が解決しようとする課題】
【０００８】
本発明は、複数のネットワークに関連付けられた複数の装置に対する共通の電話サービスのための、コンピュータ・プログラム・プロダクトを含む方法と装置を記載する。一般に、１側面では、複数の異なるネットワークに関連付けられた複数の装置を有する加入者に共通の電話サービスを提供するための方法が存在する。その方法は、同一の一意な識別子を第１ネットワークと第２ネットワークに関連付けられた第１電話装置と第２電話装置にそれぞれ割り当てること、及び一意な識別子に関連付けられた呼セットアップ要求をパケットベースのネットワークを介して受信することを含む。その方法は、ルーティング優先度に基づいて第１装置、第２装置、又は第１装置と第２装置から／に呼をパケットベースのネットワークを介してルーティングすることを含む。
【０００９】
他の側面では、複数の異なるネットワークに関連付けられた複数の装置を有する加入者に共通の電話サービスを提供するための方法が存在する。その方法は、第１ネットワークに関連付けられた第１電話装置、及び第２ネットワークに関連付けられた第２電話装置に、加入者に関連付けられた共通の電話サービスを提供することができる集中型のパケットベースのネットワークを提供すること、並びに集中型のパケットベースのネットワークに加入者への／からの発呼をルーティングすることを含む。
【００１０】
他の側面では、複数の異なるネットワークに関連付けられた複数の装置を有する加入者に集中型の電話サービスを提供するために構成されたパケットベースの通信ネットワークが存在する。そのネットワークは、異種の技術を使用して電話サービスを提供する通信ネットワークの各々と通信する複数のエッジサーバを含む。また、そのネットワークは、ルーティング優先度に基づいて異種の通信ネットワークの１つを通して、加入者に関連付けられた第１電話装置に呼をルーティングするために構成された、１又は複数のプロバイダサーバを含み、第１電話装置は加入者に関連付けられた複数の電話装置の１つであり、複数の電話装置が同一の識別子に割り当てられ、複数の通信ネットワークに対応する。
【００１１】
他の側面では、複数のネットワークに関連付けられた複数の装置に対する共通の電話サービスのためのシステムが存在する。そのシステムは、第１ネットワークに関連付けられた第１装置からの第１呼をサービスプロバイダ・ネットワークにルーティングするための手段、第２ネットワークに関連付けられた第２装置からの第２呼をサービスプロバイダ・ネットワークにルーティングするための手段、及び第１装置、又は第２装置を使用して加入者から／に発せられる各呼に、共通のサービスを適用するための手段を含む。
【００１２】
他の側面では、複数のネットワークに関連付けられた複数の装置に対する共通の電話サービスのために、情報媒体の中に実在するコンピュータ・プログラム・プロダクトが存在する。コンピュータ・プログラム・プロダクトは、データ処理装置が、第１ネットワークと第２ネットワークに関連付けられた第１電話装置と第２電話装置の各々に同一の一意な識別子を割り当て、第１ネットワーク、又は第２ネットワークから一意な識別子に関連付けられた呼をパケットベースのネットワークを介して受信し、ルーティング優先度に基づいて第１装置、第２装置、又は第１装置と第２装置に呼をパケットベースのネットワークを介してルーティングするように動作可能な命令を含む。
【００１３】
他の側面では、加入者の第１装置から加入者の第２装置に対する呼のハンドオフのために、複数の異なるネットワークに対応する複数の装置を有する加入者と一体の集中型のパケットベースのネットワークで使用される方法が存在する。その方法は、一意な識別子は複数の装置に関連付けられた加入者に関連付けられ、複数の異なるネットワークに対応する複数の装置の各々に同一の一意な識別子を割り当てること、一意な識別子に関連付けられた呼を集中型のパケットベースのネットワークによって受信すること、及び複数のネットワークの第１通信ネットワークで使用される複数の装置の第１装置に呼を集中型ネットワークによってルーティングすることを含む。また、その方法は、複数のネットワークの第２通信ネットワークで使用される複数の装置の第２装置にコールレグ(call leg)を集中型ネットワークによって確立すること、及びコールレグが確立された後に、第２装置に呼を集中型ネットワークによってルーティングすることも含む。
【００１４】
他の側面では、１つの方法が存在する。その方法は、複数の異なるネットワークに関連付けられた複数の装置を有する加入者に関連付けられた呼をサービスプロバイダ・ネットワークによって受信すること、及び呼が処理される間に、第１通信ネットワークに関連付けられた複数の装置の第１装置から第２通信ネットワークで使用される複数の装置の第２装置に対する呼のハンドオフをサービスプロバイダ・ネットワークによって実行することを含む。
【００１５】
他の側面では、複数のサーバを含むシステムが存在する。それらは、一意な識別子は複数の装置に関連付けられた加入者に関連付けられ、複数の異なるネットワークに対応する複数の装置の各々に同一の一意な識別子を割り当てるように、一意な識別子に関連付けられた呼を集中型のパケットベースのネットワークによって受信するように、及び複数のネットワークの第１通信ネットワークで使用される複数の装置の第１装置に呼を集中型ネットワークによってルーティングするように構成される。また、それらは、複数のネットワークの第２通信ネットワークで使用される複数の装置の第２装置にコールレグを集中型ネットワークによって確立するように、及びコールレグが確立された後に、第２装置に呼を集中型ネットワークによってルーティングするように構成される。
【００１６】
他の側面では、複数のネットワークに関連付けられた複数の装置に対する共通の電話サービスのために、情報媒体の中に実在するコンピュータ・プログラム・プロダクトが存在する。コンピュータ・プログラム・プロダクトは、データ処理装置に、複数の異なるネットワークに対応する複数の装置の各々に同一の一意な識別子を割り当てさせ、一意な識別子は複数の装置に関連付けられた加入者に関連付けられるように、一意な識別子に関連付けられた呼を集中型のパケットベースのネットワークによって受信させるように、及び複数のネットワークの第１通信ネットワークで使用される複数の装置の第１装置に呼を集中型ネットワークによってルーティングさせるように動作可能な命令を含む。また、コンピュータ・プログラム・プロダクトは、データ処理装置に、複数のネットワークの第２通信ネットワークで使用される複数の装置の第２装置にコールレグを集中型ネットワークによって確立させるように、及びコールレグが確立された後に、第２装置に呼を集中型ネットワークによってルーティングさせるように動作可能な命令も含む。
【００１７】
他の側面では、複数のネットワークに関連付けられた複数の装置に対する共通の電話サービスのためのシステムが存在する。システムは、第１ネットワークに関連付けられた第１装置からサービスプロバイダ・ネットワークに呼をルーティングするための手段、及び呼が処理される間に、第１装置から第２ネットワークに関連付けられた第２装置に対する呼をサービスプロバイダ・ネットワークに転送するための手段を含む。
【００１８】
他の実施例では、上記側面の何れも、以下の１又は複数の特徴を含み得る。１又は複数のプロバイダサーバは、呼サーバ、ルートサーバ、及びアプリケーション・サーバの任意の組み合わせを含み得る。一意な識別子は、電話番号であり得る。一意な識別子は、 universal resource location （ＵＲＬ）であり得る。第１ネットワークからの第１装置は、データチャネルを介してパケットベースのネットワークに被呼番号を送信することを含む、呼セットアップ要求を発生することができる。その種の実施例では、ルーティングは第１装置から／に呼をルーティングすることを含み、ルーティング優先度は呼を発生する第１装置に基づく。パケットベースのネットワークは、第１装置に対する被呼番号に関連付けられた一時的な電話番号を提供できる。パケットベースのネットワークは、一時的な電話番号を被呼番号に関連付けることができる。一時的な電話番号は、呼を発生するために使用できる。一時的な電話番号は、データチャネルを介して提供できる。パケットベースのネットワークは、被呼番号を使用してコールレグを確立でき、被呼番号、及び第１装置から／にルーティングされる呼に関連付けられたコールレグを接続できる。データ経路は、汎用パケット無線システム（ＧＰＲＳ）規格、 enhanced data rates for GSM evolution （ＥＤＧＥ）規格、 universal mobile telecommunications system （ＵＭＴＳ）規格、広帯域符号分割多重アクセス（Ｗ−ＣＤＭＡ）規格、 1 times radio transmission technology （１ｘ−ＲＴＴ）規格、 1 times evolution - data only （１ｘＥｖ−ＤＯ）規格、又はＣＤＭＡ２０００規格に基づくことができる。
【００１９】
呼セットアップ要求は第１装置によって第１ネットワークから発生でき、第１ネットワークではルーティングは第２装置に呼をルーティングすることを含む。ルーティング優先度の決定は、キーを押す順番を使用できる。キーを押す順番は、第２装置との関連を含む。第１エッジサーバは、パケットベースのネットワークと第１ネットワークの間の通信を容易にするために割り当てられることができ、第２エッジサーバは、パケットベースのネットワークと第２ネットワークの間の通信を容易にするために割り当てられることができる。第１ネットワークで発生する一意な識別子に関連付けられた全ての呼は、パケットベースのネットワークにルーティングされることができる。第１装置によって発生された全ての呼をパケットベースのネットワークに関連付けられたエッジサーバにルーティングするために、専用回路が第１ネットワークによって利用できる。
【００２０】
第１ネットワークは、第１装置によって発生される全ての呼にインジケータを追加できる。インジケータは、１又は複数のディジットのプレフィックスを含むことができる。インジケータは、搬送波コードを含むことができる。パケットベースのネットワークは、第１ネットワーク、又は第２ネットワークと無関係であり得る。第１ネットワークは、第２ネットワークと無関係であり得る。第１ネットワークは、第２ネットワークと異なる技術に基づき得る。第１電話装置は、単一の物理的装置に含まれる第１無線装置であり得、第２電話装置は、単一の物理的装置に含まれる第２無線装置であり得る。第２無線装置がアクティブ・モードであるとき、第１無線装置は待機モードに遷移できる。第１無線装置がアクティブ・モードであるとき、第２無線装置は待機モードに遷移できる。
【００２１】
第１ネットワークは陸線電話ネットワークを含むことができ、第２ネットワークは無線電話ネットワークを含むことができる。第１ネットワークは、陸線電話ネットワークを含むことができる。その様な場合、ＬＲＮを使用することによって、第１ネットワークの第１装置に呼をルーティングできる。一意な識別子は、ＧＡＰディジットに挿入できる。第１ネットワークは、携帯電話ネットワークを含むことができる。その様な場合、ＴＬＤＮを使用することによって、第１ネットワークの第１装置に呼をルーティングできる。いくつかの実施例では、第１ネットワークも第２ネットワークも構内交換機（ＰＢＸ）を含まない。共通の電話サービスは、全ての装置に対して、例えば、静穏時、並行呼出、及び単一の音声メールを含むことができる。加入者は、ルーティング優先度を定めることを可能にされる。ルーティング優先度のデフォルト値は、第１に、加入者に関連付けられたＷＬＡＮ装置へのルーティングとして、第２に、加入者に関連付けられたセルラ装置へのルーティングとして、第３に、加入者に関連付けられた地上線装置へのルーティングとして定めることができる。
【００２２】
第１装置から第２装置に対する呼の転送を開始するために、指示が受信できる。指示は、キーを押す順番に関連付けられた１又は複数のＤＴＭＦトーンの予め定められた順番を含むことができる。第１装置は、転送が望ましいかを決定し、及び指示は集中型ネットワークに送信される。指示は、ＷＬＡＮ電話の登録を周期的にモニタすることに基づいて決定できる。指示は、信号強度を周期的にモニタすることに基づいて決定できる。セルラ・ネットワークを通るデータ経路は、指示を送信するために使用できる。集中型ネットワークが、第１装置から第２装置に呼を転送することを決定できる。第１ネットワークは陸線電話ネットワークを含むことができ、第２ネットワークは無線電話ネットワークを含むことができる。
【課題を解決するための手段】
【００２３】
実施は、以下の利点の１又は複数を実現できる。４つの異なるネットワークに関連付けられた４つの装置のユーザは、ユーザの異なる装置の全てに対する汎用電話サービスの１組を管理できる。ユーザは、全ての装置へ実際に割り当てられた１つの電話番号を受信できる。汎用サービスの集中型のサービスプロバイダは、サービスを提供するためにＩＰネットワークを利用でき、最新の技術的進歩を利用できる。更に、ＩＰベースのネットワークを使用することは、汎用サービスの集中型のサービスプロバイダが、同じパケットベースの技術を使用して音声とデータを連続的に統合することを可能にする。単一のサービスプロバイダは、顧客の全ての電話装置のための顧客に対する単一のポイントであり、単一の請求者、１つの顧客サポート番号、等を含む。集中型のＩＰネットワークを使用して単一のサービスプロバイダによって提供できる機能のリストは、単一の既存ネットワーク（例えば、ＰＳＴＮ、セルラ）上で利用可能な機能を超える。
【００２４】
１又は複数の実施例の詳細が、図面、及び以下の説明に記載される。本発明の他の特徴、側面、及び利点は、以下の説明、図面、及び請求の範囲から明らかになるであろう。
【発明を実施するための最良の形態】
【００２５】
図１Ａは、複数のネットワークに関連付けられた複数の装置に対する共通の電話サービスを提供するためのシステム１００を示す。システム１００は、複数の通信ネットワーク１０５，１１０ａ，１１０ｂ，１１０ｃ，１１０ｄ，１１０ｅを含む。ネットワーク１０５は、他のネットワーク１１０ａ，１１０ｂ，１１０ｃ，１１０ｄ，１１０ｅに関連付けられ、それらを通して通信する複数の装置に、共通の電話サービスを提供する。ネットワーク１０５は、ネットワーク１１０ａ，１１０ｂ，１１０ｃ，１１０ｄに対してメディア・ゲートウェイ、及び信号ゲートウェイとして各々が機能するエッジサーバ１１５ａ，１１５ｂ，１１５ｃ，１１５ｄを含む。ネットワーク１１０ｅは、ネットワーク１１０ａを通してネットワーク１０５と通信する。
【００２６】
また、ネットワーク１０５は、呼サーバ１２０、ルートサーバ１２５、アプリケーション・サーバ１３０、及び加入者データベース１３５も含む。一般に、呼サーバ１２０は、セッション管理、及び信号伝達（例えば、呼、ビデオ、ゲーム）を扱う。ルートサーバ１２５は、呼をルーティングするためのルーティング情報を提供する。アプリケーション・サーバ１３０は、加入者が申し込んだサービスを決定し、呼の間に追加サービスを提供するために呼ループに留まることも多い。加入者データベース１３５は、加入者、加入者が申し込んだサービス、及びサービス明細データについての情報を含む。各サーバ１１５，１２０，１２５，１３０の物理的実施は、ここに記載されたようなプロセスを実行する能力を失うことなく変化し得る。例えば、各サーバ１１５，１２０，１２５，１３０が複数のサーバ（例えば、分布型のサーバ・ファーム、複数のサーバ・ブレード、等）を使用して実施されるか、又は全てのサーバ１１５，１２０，１２５，１３０が組み合わされて単一のサーバに実施されるか、若しくは一部が組み合わされる。
【００２７】
ネットワーク１０５，１１０ａ，１１０ｂ，１１０ｃ，１１０ｄ，１１０ｅは、呼をルーティングできる通信ネットワークである。ネットワーク１０５，１１０ａ，１１０ｂ，１１０ｃ，１１０ｄ，１１０ｅは、異なる技術に基づく。ネットワーク１０５，１１０ｄは、音声情報をＩＰパケットに変換するためにＶｏＩＰ技術を使用し、ネットワークを通してＩＰパケットをルーティングする、ＩＰパケットベースのネットワークである。ネットワーク１１０ｄは、ＷＬＡＮ電話１４３と通信する１又は複数の無線トランシーバ（例えば、アクセスポイント）を含むＷＬＡＮ部分１４０を含む。システム１００は、ＷＬＡＮ電話１４３と通信するためにセッション開始プロトコル（ＳＩＰ）規格を使用する。
【００２８】
ネットワーク１１０ｃ，１１０ｅは、呼を管理してルーティングするために（例えば、ＣＤＭＡ規格、ＧＳＭ規格に基づく）携帯電話技術を使用する携帯電話ネットワークである。ネットワーク１１０ｃ，１１０ｅは、他のネットワークに対するネットワーク１１０ｃ，１１０ｅのためのインターフェースとして各々が機能するゲートウェイ交換機（ＧＭＳＣ）１４５ａ，１４５ｂを任意で含む。ＧＭＳＣ１４５は、他のネットワークと通信するための異なる信号伝達規格を扱うことができる。セルラ・ネットワークにＧＭＳＣ１４５が含まれる実施例では、エッジサーバはＭＳＣと直接通信できる。また、ネットワーク１１０ｃ，１１０ｅは、ホーム位置レジスタ（ＨＬＲ）１４８ａ，１４８ｂも含む。全ての加入者が局地交換機に属する固定されたネットワークとは異なり、モバイル・ネットワークでは、加入者はネットワークに属する。ＨＬＲ１４８は、モバイル・ネットワークのために加入者データを持続的に記憶するためのデータベースである。ＨＬＲ１４８は、加入者の位置（例えば、加入者が移動通信交換局（ＭＳＣ）１５０のサービスエリアにいるか、又は異なるネットワークにいるか）を（例えば、ＭＳＣによって）継続的に更新される。他のネットワークから呼を受信してルーティングするときに、ＧＭＳＣ１４５はこの情報を使用する。ＨＬＲ１４８独立したネットワーク要素であるか、又はＭＳＣ１５０に組み込まれ得る。
【００２９】
また、ネットワーク１１０ｃ，１１０ｅは、ＭＳＣ１５０ａ，１５０ｂ，１５０ｃ，１５０ｄも含む。ＭＳＣ１５０ａ，１５０ｂ，１５０ｃ，１５０ｄは、モバイル・ネットワークによって要求される特化した機能（例えば、ＭＳＣ１５０の間のハンドオフに関連する機能）を有するスイッチノードであり、１又は複数の基地局を対応する無線アクセス・ネットワーク（ＲＡＮ）１５３ａ，１５３ｂ，１５３ｃ，１５３ｄで各々管理する。基地局は、送信／受信のためのトランシーバ機器（例えば、１又は複数のセルのためのアンテナ）、並びに暗号化／復号化、及び信号強度測定のための機器に関連付けられる。トランシーバは、セルラ携帯機器１５６ａ，１５６ｂ，１５６ｃ，１５６ｄ，等と通信する。
【００３０】
一般に、携帯機器１５６は、それらが関連付けられたセルラ・ネットワーク（例えば、１１０ｃ，１１０ｅ）に特化される。例えば、加入者が Verizon 社と一体化したセルラ・サービスに申し込むとき、ＣＤＭＡ技術と一体化したセルラ携帯機器を購入する。もし加入者が T-Mobile 社と一体化したセルラ・サービスに申し込めば、ＧＳＭ技術と一体化したセルラ携帯機器を購入する。ＣＤＭＡ技術と一体化した携帯機器は、ＧＳＭ技術を使用するネットワークと通信できない。同様に、ＷＬＡＮ装置は、ＣＤＭＡネットワーク、又はＧＳＭネットワークと通信できない。しかし、電子部品が微細化し続け、市場の需要が増加するにつれて、携帯機器製造業者は、複数の携帯機器（例えば、ＷＬＡＮ技術、ＣＤＭＡ技術、ＧＳＭ技術、等）を単一の物理的装置にすることを開始している。図１Ｂは、同じパッケージの内部に複数の携帯機器を含む単一の物理的装置１６０を例示する。
【００３１】
ユーザが携帯機器１６０と対話できるように、携帯機器１６０は一般的なディスプレイ１６３、及び一般的なキーパッド１６６を含む。また、携帯機器１６０は、第１技術のネットワークと通信するための第１無線装置１６９（例えば、必要な電子装置）、及び第２技術のネットワークと通信するための第２無線装置１７２（例えば、必要な電子装置）も含む。また、携帯機器１６０は、一般的なディスプレイ１６３とキーパッド１６６の間、及び第１無線装置１６９と第２無線装置１７２の間の通信を調整するプロセッサ要素１７５も含む。例えば、第１無線装置１６９はＣＤＭＡ技術に基づくことができ（即ち、ＣＤＭＡネットワークと通信するように構成され）、第２無線装置１７２はＧＳＭ技術に基づくことができる（即ち、ＧＳＭネットワークと通信するように構成される）。その種の装置の実施例は、 Samsung 社によって製造される SCH-a790 電話である。他の実施例では、第１無線装置１６９はセルラ技術（例えば、ＧＳＭ）に基づくことができ、第２無線装置１７２はＷＬＡＮ技術に基づくことができる（即ち、ＷＬＡＮネットワークと通信するように構成される）。その種の装置の実施例は、 Motorola 社によって製造される CN620移動オフィス装置である。
【００３２】
図１Ａを再び参照すると、ネットワーク１１０ａはＰＳＴＮを表し、ＰＳＴＮは多くの異なる会社によって所有され運営される異なる電話に関連する通信ネットワークの融合体である。ＰＳＴＮ１１０ａ上の異なるネットワークは、規格化された電話プロトコルを使用して互いに通信し、呼をルーティングする。ＰＳＴＮ１１０ａは、ネットワーク１０５に関連付けられた加入者に属する呼び出された電話番号に基づいて、ネットワーク１０５のエッジサーバ１１５ａに呼をルーティングする。多くの場合、アナログ黒電話（例えば、電話装置１８０）のユーザは、一般に家への有線接続を有する局地交換機を通して、ＰＳＴＮ１１０ａに接続される。ＰＳＴＮ１１０ａは時分割多重化（ＴＤＭ）技術に基づくことができ、もしそうなら、エッジサーバ１１５ａはＴＤＭトラフィックをＩＰに（及び、逆も同様に）変換するゲートウェイを表す。
【００３３】
ネットワーク１１０ｂは、ＴＤＭスイッチ１７８ａ，１７８ｂ，１７８ｃ，等を使用する従来の有線ネットワークを表す。ＴＤＭスイッチ１７８ｂ，１７８ｃは、アナログ黒電話１８１ａ，１８１ｂ，１８１ｃ，１８１ｄに接続される。これらの黒電話１８１ａ，１８１ｂ，１８１ｃ，１８１ｄは、ネットワーク１０５の加入者によって所有される。黒電話１８１ａ，１８１ｂ，１８１ｃ，１８１ｄを使用して発呼されるとき、ネットワーク１１０ｂは呼をエッジサーバ１１５ｂに直接ルーティングするので、ネットワーク１０５は呼を処理して管理できる。同様に、加入者がモバイル・セルラ装置１５６ｄを使用してモバイル・ネットワーク１１０ｃ上で発呼するとき、モバイル・ネットワーク１１０ｃは呼をエッジサーバ１１５ｃに直接ルーティングして、ネットワーク１０５は呼を処理して管理できる。一般に、集中型ネットワーク１０５を所有して運用するサービスプロバイダは、ネットワーク１１０ｂ，１１０ｃを所有せず運用しない。代わりに、ネットワーク１０５のサービスプロバイダは、加入者の装置から対応するエッジサーバ１１５に全ての呼を直接転送するためのネットワーク１１０ｂ，１１０ｃの所有者、及びオペレータと協定を有する。このアイディアは、携帯電話サービスの再販業者によって使用される仮想移動体通信事業者（ＭＶＮＯ）モデルに多少は類似する。
【００３４】
システム１００は、加入者呼を直接接続されたネットワーク（例えば、１１０ｂ，１１０ｃ）から種々の異なる方法でルーティングできる。例えば、挿入されたプレフィックス・ディジットが使用できる。その種の実施例では、加入者が加入者の装置（例えば、加入者のセルラ装置１５６ｄ）から発呼するとき、その装置（例えば、１５０ｄ）に機能を提供するネットワーク１１０ｃの構成要素（例えば、ＭＣＧ、ＨＬＲ、ＶＬＲ、等）は、ハンドセット（例えば、発呼者）を識別するようにプログラムできる。もし識別がＭＶＮＯ加入者（例えば、ネットワーク１０５に対する加入者）の識別なら、ネットワーク１１０ｃは被呼番号に一意な１組のディジットを前置する。これらの一意なプレフィックス・ディジットに基づいて、ネットワーク１１０ｃは呼をエッジサーバ１１５ｃにルーティングする。呼がエッジサーバ１１５ｃまで通過するとき、一意なプレフィックス・ディジットは（例えば、エッジサーバ１１５ｃによって）被呼番号から削除される。このテクニックは、加入者によって発せられた呼が、処理、及びサービスのためのネットワーク１０５にルーティングされることを可能にする。また、このテクニックは、加入者が同じサービスプロバイダ（例えば、ネットワーク１０５）の他の加入者を呼び出すとき、潜在的な問題も都合よく防止する。呼番号と被呼番号の両方が加入者であるので、サービスプロバイダ・ネットワークが、呼び出された加入者に対する呼を完了させようとするとき、単に加入者識別に基づくセルラ・ネットワーク（例えば、１１０ｃ）でのルーティングは、サービスプロバイダ・ネットワーク（例えば、１０５）に対するルートバックをもたらすことができる。何故ならば、モバイル・ネットワークは、加入者識別に基づいてルーティングするように構成されているからである。ハンドセットが発呼するときにディジットを被呼番号に前置すること、及びこれらのディジットをサービスプロバイダ・ネットワーク（例えば、１０５）において削除することは、この「ルーティング・ループ」を回避する。プレフィックス・テクニックを追加して、ネットワーク１１０ｃで発せられた呼だけが追加されたプレフィックスを有するので、それらの発呼だけがネットワーク１０５にルーティングされる。
【００３５】
他の実施例では、プレフィックス・ディジットの代わりに搬送波コードが使用される。その種の実施例では、加入者の装置（例えば、加入者のセルラ装置１５６ｄ）から加入者が発呼するとき、その装置（例えば、１５０ｄ）に機能を提供するネットワーク１１０ｃは、ハンドセット（例えば、発呼者）を識別するようにプログラムできる。もし識別がＭＶＮＯ加入者（例えば、ネットワーク１０５に対する加入者）の識別であれば、ネットワーク１１０ｃは予め指定された搬送波コードを信号伝達メッセージに追加する。この搬送波コードに基づいて、ネットワーク１１０ｃは、呼をエッジサーバ１１５ｃにルーティングする。同様に、入呼が加入者の装置にルーティングされるように、ネットワーク１１０ｃに対する入呼は異なる予め指定された搬送波コードを有する。このテクニックは、加入者によって発せられた呼が、処理、及びサービスのためのネットワーク１０５にルーティングされることを可能にする。
【００３６】
これらのテクニック（例えば、プレフィックス・ディジット、及び搬送波コードを使用すること）は、例えば、ネットワーク１１０ｃを使用して記載されてきたが、これらのテクニックは他のネットワーク（例えば、ワイヤライン・ネットワーク１１０ｂ）でも使用できる。また、ワイヤライン・ネットワーク（例えば、１１０ｂ）は、加入者の装置（例えば、１８１ａ）において発せられる呼を物理的に有線接続できる。例えば、加入者の装置（例えば、装置１８１ａのためのスイッチ１７８ｂ）に機能を提供するＴＤＭスイッチからネットワーク１１０ｂ（例えば、１１５ｂ）に機能を提供するエッジサーバまで、物理的な専用回路が存在し得る。
【００３７】
何らの携帯電話ネットワークも所有、又は運用しないにも拘わらず、ＭＶＮＯの例として、 Virgin Mobile USA 社が携帯電話サービスを加入者に販売する。代わりに、 Virgin Mobile USA 社は Sprint 社と契約して、 Virgin Mobile USA 社の加入者の装置を認識して、携帯電話サービスの一部、又は全てを提供し、そのサービスに対して Virgin Mobile USA 社は Sprint 社に支払いをする。再販業者の中には、セルラ・ネットワークの所有者、及びオペレータから自社のブランドを更に区別しようと試みるために、補助的サービス（電話に無関係なことが多い）を提供するものもある。システム１００はＭＶＮＯ類似モデルに従うが、ネットワーク１０５のサービスプロバイダは、殆どの、又は全部の電話サービスを提供する。ネットワーク１１０ａ，１１０ｂ，１１０ｃ，１１０ｄ，１１０ｅは「ダムパイプ」として機能を提供し、ネットワークをまたがって装置（例えば、１４３，１５６，１８０，１８１）と対応するエッジサーバ（例えば、１１５）の間で音声と信号伝達データを単に送信する。いくつかの実施例では、ネットワーク１０５のサービスプロバイダが、他のネットワーク（例えば、ネットワーク１１０ｂ）の管理者に特定のサービス（例えば、緊急サービス）を提供させるように手配できることは注目に値する。
【００３８】
例えば、ネットワーク１０５のサービスプロバイダは、サービスプロバイダによって所有されないネットワークとの提携によって、複数のネットワークを通して１番号遍在サービスを提供できる。加入者のエンドポイント（例えば、装置１８１ｃ，１５３ｃ，１４３）は、サービスプロバイダのネットワーク１０５の予め指定された呼サーバ１２０に登録される。地上線ネットワーク（例えば、１１０ｂ）のオペレータと合意して、サービスプロバイダによって指定されたエッジサーバ（例えば、１１５ｂ）にネットワーク１０５の加入者の全ての呼を「ハード」ルーティングする。今、ワイヤライン・オペレータは、ネットワーク１０５にサービスプロバイダを到着させる「ダムパイプ」である。同様に、セルラ・ネットワーク（例えば、１１０ｃ）のオペレータと合意して、サービスプロバイダによって指定されたエッジサーバ（例えば、１１５ｃ）にネットワーク１０５の加入者の全ての呼を「ハード」ルーティングする。セルラ・ネットワーク（例えば、１１０ｃ）は、セルラ・ネットワーク１１０ｃの内部でセルラ登録、及び加入者のセルラ装置（例えば、１５３ｃ）のためのハンドオフを扱うことを継続する。今、セルラ・ネットワークも、ネットワーク１０５にサービスプロバイダを到着させる「ダムパイプ」である。
【００３９】
集中型のサービス、「ダムパイプ」アーキテクチャを使用することによって、システム１００は、例えば、共通の電話サービスを加入者の異なる装置の全て（例えば、１８１，１５６，１４３）に提供でき、加入者の異なる装置の全てに対する本当の単一電話番号を提供でき、加入者の異なる装置の全ての間の構内電話サービスを提供でき、加入者の異なる装置の間のハンドオフを提供でき、及び図２〜図１０を使用して以下に詳細に記載されるような他の電話サービスを提供できる。図２〜図１０は、システム１００の要素を使用する呼管理の例示プロセスを示す。
【００４０】
図２は、ＰＳＴＮ１１０ａで非加入者から発せられた呼をネットワーク１０５の加入者に接続するためのプロセス２００を示す。加入者は、加入者のＷＬＡＮ携帯機器（例えば、装置１４３、又は装置１６０の無線装置１６９）をオンにする。ＷＬＡＮ装置がＷＬＡＮ１４０の範囲にあるとき、ＷＬＡＮ携帯機器は呼サーバ１２０を登録する（２０５）。例えば、ＷＬＡＮ装置は呼サーバ１２０のＩＰアドレスでプログラムでき、又は呼サーバのＩＰアドレスは自動的に発見できる。ＷＬＡＮ装置がＷＬＡＮ１４０と通信するとき、ＷＬＡＮ装置は、ＩＰパケットを、ネットワーク１１０ｄをまたがって、エッジサーバ１１５ｄまで、及び呼サーバ１２０まで、予めプログラムされた、又は自動的に発見されたＩＰアドレスを使用してルーティングできる。複数の呼サーバがネットワーク１０５に存在するいくつかの実施例では、いったん呼サーバが加入者に対して確立されたら、ＷＬＡＮ装置が登録されている間に、その加入者への／からの呼は、その呼サーバによって処理される。
【００４１】
他の発呼者、非加入者は、ＰＳＴＮ１１０ａに接続された電話を使用して加入者の電話番号を呼び出す（２２０）。非加入者は、多くの装置、例えば、アナログ黒電話１８０、携帯電話（例えば、１５６ａ）、ＩＰ電話装置（例えば、ＷＬＡＮ電話、ＩＰワイヤライン電話、又はコンピュータ）、等に呼び掛けることができる。ＰＳＴＮ１１０ａは、被呼番号がネットワーク１０５に関連付けられたことを決定し、エッジサーバ１１５ａに適切な幹線を通して呼をルーティングする。エッジサーバ１１５ａは入呼信号伝達を受信し（２２５）、被呼番号に対するルーティング情報をルートサーバ１２５から要求し（２２５）、被呼番号は特定の加入者に属する。ルートサーバ１２５は、その特定の加入者に呼を提供している呼サーバ１２０を決定する（２３０）。例えば、ルートサーバ１２５は、加入者の識別子（ＩＤ）（例えば、被呼番号）、及びその加入者に対して呼を提供している呼サーバのＩＰアドレスを有するルックアップテーブルを持ち得る。ルートサーバ１２５はルーティング情報を返し、エッジサーバ１１５ａは信号伝達情報を指示された呼サーバ１２０にルーティングする（２３５）。呼サーバ１２０は、アプリケーション・サーバ１３０と通信することによって、加入者が申し込むサービスを起動する（２４０）。追加サービスを提供する必要性が生じたら、アプリケーション・サーバ１３０は任意の初期サービスを適用し（２４５）、呼信号伝達経路にとどまる（２４５）。アプリケーション・サーバ１３０は、例えば、加入者データベース１３５の加入者データを読み込むことによって、どのサービスが適用されるべきかを決定できる（２４５）。一般に、もしサーバ１１５，１２０，１２５，１３０の何れかが加入者情報を必要としたら、その情報を得るためにサーバは加入者データベース１３５と通信できる。
【００４２】
呼サーバ１２０は、ルートサーバ１２５に要求を送信することによって、加入者のルーティング優先度を得る（２５０）。システム１００では、加入者の装置（例えば、加入者の黒電話１８１ｃ、加入者の携帯電話１５６ｃ、及び加入者のＷＬＡＮ電話１４３）の全ては、それらに割り当てられた同じ電話番号を有する。それで、特定の電話番号を有する１つの装置から異なる電話番号を有する他の装置に呼を転送するフォロー・ミー・サービス(follow me service)とは違って、装置に基づいてルートサーバ１２５はルートを決定する。以下に詳細に記載されるように、他のネットワークで一時的な番号を使用することは、各々が異なる番号を与える必要なく、任意の加入者の装置に呼をネットワーク１０５がルーティングすることを可能にする。
【００４３】
ルーティング優先度を決定するために、ルートサーバ１２５は、加入者によって入力された優先度リストを使用するか、又はもし加入者がその種のリストを入力していなければ、デフォルト・ルーティング優先度を使用する。例えば、プロセス２００では、加入者が呼を加入者のＷＬＡＮ装置へ１番目にルーティングして欲しく、加入者のセルラ装置へ２番目にルーティングして欲しく、もし他の装置が使用中でなければ、加入者の自宅の地上線装置へルーティングして欲しいことを示す優先度リストに、加入者は（例えば、サービスプロバイダのウェブページを通したデータ入力インターフェースを使用して）予め入力している。リストは、装置の優先順位を付けられたリストよりも更に洗練され得る。他の実施例では、リストは、発呼される時間、及び発呼者に基づき得る。それで、例えば、午後７：００以降は、全ての呼が第１優先順位として自宅の地上線装置に向けられる。また、全ての呼が音声メールボックスに向けられる、例えば、午後１１：００と午前６：００の間に任意の電話の呼び出しをその加入者が受けたくない時間も、加入者は設定できる。ソースからの全ての呼はセルラ装置へ１番目に向けられ、承認されていない発呼者（例えば、加入者の接触を確立されたリストにない電話番号）からの呼は、音声メールボックスへ常に送信される。
【００４４】
ルートサーバ１２５は、優先度リストによって指示されるように、装置に対するルーティング情報を返す（２５５）。ルートサーバ１２５は、各装置に対するルーティング情報を個別に返すことができ（２５５）、リスト上の次の装置に対するルーティング情報が帰るまで（２５５）指示された装置は利用できないことを呼サーバ１２０が示すことを待つ。或いは、ルートサーバ１２５は、全ての装置に対するルーティング情報を、優先順位を示して返すことができる（２５５）。これは、装置が利用できないかをルートサーバ１２５に呼サーバ１２０が問い合わせる必要性をなくす。
【００４５】
何れの場合も、プロセス２００では、呼サーバ１２０は加入者の登録されたＷＬＡＮ装置を有し、従って、加入者のＷＬＡＮ装置に呼をルーティングするために（２６０）、第１優先順位に対するルーティング情報を使用することができる。加入者のＷＬＡＮ装置は、ネットワーク１０５とネットワーク１１０ｄ、及びエッジサーバ１１５ｄを介して通信するので、呼サーバ１２０はエッジサーバ１１５ｄに呼を送信する。エッジサーバ１１５ｄは、ルートサーバ１２５にルーティング情報の終了を問い合わせる。ルートサーバ１２５は呼に対するルーティング情報の終了を返し（２７０）、エッジサーバ１１５ｄがエッジサーバ１１５ａと一体の媒体経路を発生し、ネットワーク１１０ｄを使用して、ＰＳＴＮ１１０ａ上の非加入者と加入者のＷＬＡＮ装置の間で呼をルーティングする（２７５）。
【００４６】
図３は、ネットワーク１０５の加入者にＰＳＴＮ１１０ａで非加入者から発する呼を接続するためのプロセス３００を示す。加入者は、加入者のセルラ携帯機器（例えば、装置１５６ｃ、又は装置１６０の無線装置１７２）をオンにする。セルラ装置がＲＡＮ（例えば、１５３ｃ）の範囲にあるとき、セルラ携帯機器はセルラ・ネットワークを登録する（３０５）。例えば、ＨＬＲ１４８ｂは、セルラ装置に機能を提供するＭＳＣ（例えば、１５０ｃ）に対するルーティング情報を記憶する。
【００４７】
他の発呼者、非加入者は、ＰＳＴＮ１１０ａに接続された電話（例えば、装置１８０）を使用して加入者の電話番号を呼び出す（３１０）。ＰＳＴＮ１１０ａは被呼番号がネットワーク１０５に関連付けられたことを決定し、エッジサーバ１１５ａに適切な幹線を通して呼をルーティングする。エッジサーバ１１５ａは入呼信号伝達を受信し（３１５）、被呼番号に対するルーティング情報をルートサーバ１２５から要求し（３１５）、被呼番号は特定の加入者に属する。ルートサーバ１２５は、その特定の加入者に呼を提供している呼サーバ１２０を決定する（３２０）。ルートサーバ１２５はルーティング情報を返し、エッジサーバ１１５ａは、指示された呼サーバ１２０に信号伝達情報をルーティングする（３２５）。呼サーバ１２０は、アプリケーション・サーバ１３０と通信することによって、加入者が申し込むサービスを起動する（３３０）。追加サービスを提供する必要性が生じたら、アプリケーション・サーバ１３０は任意の初期サービスを適用し（３３５）、呼信号伝達経路にとどまる（３３５）。
【００４８】
呼サーバ１２０は、ルートサーバ１２５に要求を送信することによって、加入者のルーティング優先度を得る（３４０）。ルーティング優先度を決定するために、ルートサーバ１２５は、加入者によって入力された優先度リストを使用するか、又はもし加入者がその種のリストを入力していなければ、デフォルト・ルーティング優先度を使用する。例えば、プロセス３００では、加入者が呼を加入者のＷＬＡＮ装置へ１番目にルーティングして欲しく、加入者のセルラ装置へ２番目にルーティングして欲しく、もし他の装置が使用中でなければ、加入者の自宅の地上線装置へルーティングして欲しいことを示す優先度リストに加入者は予め入力している。ルートサーバ１２５は、優先度リストによって指示されるように、装置に対するルーティング情報を返す（３４５）。プロセス３００では、呼サーバ１２０は加入者の登録されたＷＬＡＮ装置を有さず、従って、加入者のＷＬＡＮ装置に呼をルーティングするために、第１優先順位に対するルーティング情報を使用できないことを決定する。リストで次の優先順位に移動して、呼サーバは、ルートサーバ１２５に要求を送信することによって、加入者のセルラ装置を配置すること（３５０）を試みる。
【００４９】
いくつかの実施例では、加入者の電話装置（例えば、加入者の黒電話１８１ｃ、加入者の携帯電話１５６ｃ、及び加入者のＷＬＡＮ電話１４３）の全ては、同じ汎用電話番号（例えば、555-555-1234）を有する。これらの実施例の中には、サービスプロバイダ・ネットワーク１０５に対する加入者の汎用電話番号（555-555-1234）に電話の呼び出しを送信するために、通信ネットワーク１１０ａ，１１０ｂ，１１０ｃ，１１０ｄ，１１０ｅの全てが構成されているものもある。これは、ネットワーク１０５に、加入者から／に発せられる全ての呼に対する共通のサービスを都合よく提供させる。また、これは、ネットワーク１０５に、加入者の設定に基づいて電話装置加入者が好むもの全てに対して、呼を都合よく送信させる。しかし、全ての呼がネットワーク１０５にルーティングされるので、加入者の汎用電話番号（例えば、555-555-1234）に対して呼を接続するための信号伝達情報を単に送信することによって、例えば、セルラ・ネットワーク１１０ｃにネットワーク１０５は発呼できない。もしネットワーク１０５がそうしたら、そうするように構成されているので、ネットワーク１１０ｃはコールバックをネットワーク１０５へ単にルーティングするだけであり、ネットワーク１０５はサービスを提供できる。これらの実施例の中には、このルーティングを克服するために、ネットワーク１０５が、セルラ・ネットワークによって使用される一時的なローカル・ディレクトリ番号（ＴＬＤＮ）を得て、そのＴＬＤＮを使用して必要な呼信号伝達を実行するものもある。
【００５０】
加入者のセルラ装置（例えば、１５６ｃ）のルーティング情報を得るために（３６０）、例えば、ルートサーバ１２５は、位置要求（ＡＮＳＩ−４１環境のＬＯＣＲＥＱ、ＧＳＭネットワークの送信ルーティング情報（ＳＲＩ）要求、等）をセルラ・ネットワーク（例えば、１１０ｃ）のＨＬＲ（例えば、１４８ｂ）に送信する（３６０）。ＨＬＲは、セルラ装置が機能を提供しているＭＳＣに登録される間にセルラ装置（例えば、１５６ｃ）へ一時的に割り当てられるＴＬＤＮを、機能を提供しているＭＳＣ（例えば、１５０ｃ）から得る（３６５）。ＨＬＲは、（例えば、ＧＭＳＣ１４５ｂ、及びエッジサーバ１１５ｃを介して）ルートサーバ１２５に戻る位置要求戻り応答のＴＬＤＮを送信する。ルートサーバ１２５は、エッジサーバ１１５ｃに到達するためのＴＬＤＮ、及びルーティング情報を、呼サーバ１２０に送信する（３７５）。呼サーバ１２０は、エッジサーバ１１５ｃに呼を送信する（３７０）。エッジサーバ１１５ｃは、ルートサーバ１２５にルーティング情報の終了を問い合わせる（３８５）。ルートサーバ１２５は呼に対するルーティング情報の終了を返し（３９０）、エッジサーバ１１５ｃがエッジサーバ１１５ａと一体の媒体経路を発生し、ネットワーク１１０ｃを使用して（３９５）、ＰＳＴＮ１１０ａ上の非加入者と加入者のセルラ装置の間で呼をルーティングする（３８５）。
【００５１】
図４は、ネットワーク１０５の加入者にＰＳＴＮ１１０ａの非加入者から発せられる呼を接続するためのプロセス４００を示す。プロセス４００では、加入者がＷＬＡＮ装置、又はセルラ装置をオンにせず、両方ともどの通信ネットワークにも登録されない。他の発呼者、非加入者は、ＰＳＴＮ１１０ａに接続された電話（例えば、装置１８０）を使用して、加入者の電話番号（例えば、555-555-1234）を呼び出す（４０５）。ＰＳＴＮ１１０ａは、被呼番号がネットワーク１０５に関連付けられたことを決定し、エッジサーバ１１５ａに適切な幹線を通して呼をルーティングする。エッジサーバ１１５ａは入呼信号伝達を受信し（４１０）、被呼番号に対するルーティング情報をルートサーバ１２５から要求し（４１０）、被呼番号は特定の加入者に属する。ルートサーバ１２５は、その特定の加入者に対して呼を提供している呼サーバ１２０を決定する（４１５）。ルートサーバ１２５はルーティング情報を返し、エッジサーバ１１５ａは、指示された呼サーバ１２０に信号伝達情報をルーティングする（４２０）。呼サーバ１２０は、アプリケーション・サーバ１３０と通信することによって、加入者が申し込むサービスを起動する（４２５）。追加サービスを提供する必要性が生じたら、アプリケーション・サーバ１３０任意の初期サービスを適用し（４３０）、呼信号伝達経路にとどまる（４３０）。
【００５２】
呼サーバ１２０は、ルートサーバ１２５に要求を送信することによって、加入者のルーティング優先度を得る（４３５）。ルーティング優先度を決定するために、ルートサーバ１２５は、加入者によって入力された優先度リストを使用するか、又はもし加入者がその種のリストを入力していなければ、デフォルト・ルーティング優先度を使用する。例えば、プロセス４００では、加入者が呼を加入者のＷＬＡＮ装置へ１番目にルーティングして欲しく、加入者のセルラ装置へ２番目にルーティングして欲しく、もし他の装置が使用中でなければ、加入者の自宅の地上線装置へルーティングして欲しいことを示す優先度リストに加入者は予め入力している。ルートサーバ１２５は、優先度リストによって指示されるように、装置に対するルーティング情報を返す（４４０）。プロセス４００では、呼サーバ１２０は加入者の登録されたＷＬＡＮ装置を有さず、従って、加入者のＷＬＡＮ装置に呼をルーティングするために。第１優先順位に対するルーティング情報を使用できないことを決定する。リストで次の優先順位に移動して、呼サーバは、ルートサーバ１２５に要求を送信することによって、加入者のセルラ装置を配置すること（４４５）を試みる。
【００５３】
ルートサーバ１２５は、加入者のセルラ装置（例えば、１５６ｃ）のルーティング情報を得るために（４５５）、セルラ・ネットワーク（例えば、１１０ｃ）のＨＬＲ（例えば、１４８ｂ）に位置要求を送信する（４５５）。ＨＬＲは、携帯機器がネットワーク１１０ｃに存在しないことを示すルートサーバ１２５に位置要求戻り応答を戻す（４６０）。ルートサーバ１２５は、優先度リストの次の装置に移動し、加入者黒電話（例えば、１８１ｃ）に対するルーティング情報を提供する（４６５）。ネットワーク１１０ｃ上のセルラ装置と同様に、ネットワーク１１０ｂ上で加入者の電話番号（例えば、555-555-1234）を使用してルーティングされた呼は、ネットワーク１０５にルートバックされる電話の呼び出しになり得る。番号ポータビリティ（ＬＮＰ）に対するテクニックを使用して、ルートサーバ１０５は、呼サーバ１２０に対してその装置に機能を提供する終端スイッチ（例えば、１７８ｃ）を指示する黒電話（１８１ｃ）のための位置ルーティング番号（ＬＲＮ）を得る（４６５）。呼サーバ１２０は、エッジサーバ１１５ｂに呼情報を送信する（４７０）。いくつかの実施例では、ネットワーク１０５はＬＮＰプロトコルに従う。ＬＲＮを使用して呼はルーティングされるので、例えば、加入者の装置の全てに対する加入者の電話番号（例えば、555-555-1234）に対する被呼番号は、汎用アドレスパラメータ（ＧＡＰ）ディジットで送信される。エッジサーバ１１５ｂは、ルートサーバ１２５にルーティング情報の終了を問い合わせる（４７５）。ルートサーバ１２５は呼に対するルーティング情報の終了を返し（４８０）、エッジサーバ１１５ｂがエッジサーバ１１５ａと一体の媒体経路を発生し、ネットワーク１１０ｂを使用して（４９０）、ＰＳＴＮ１１０ａ上の非加入者と自宅のアナログ装置の間で呼をルーティングする（４８５）。
【００５４】
図５は、加入者の第１装置から加入者の第２装置に呼を接続するためのプロセス５００を示す。これは、加入者の装置が構内電話システムとして機能することを可能にする。プロセス５００では、加入者アナログ家庭装置（例えば、１８１ｃ）から発呼され、加入者のＷＬＡＮ装置（例えば、１４３）を呼び出す。例えば、子供は、加入者の母親を家庭用電話のハンドセットを持ち上げること、及び単純なキーを押す順番を入力することによって呼び出すことができる。例えば、特定のキーを押す順番が、そのキーを押す動作に関連付けられた装置に呼をルーティングするように（例えば、＊１はＷＬＡＮ装置を呼び出し、＊２はセルラ装置を呼び出し、＊３はアナログ家庭電話を呼び出し、＊４はホーム・コンピュータのＩＰ電話ハードウェア／ソフトウェアを呼び出す、等）、構内電話は設定できる。加入者は、加入者のＷＬＡＮ携帯機器（例えば、装置１４３、又は装置１６０の無線装置１６９）をオンにする。ＷＬＡＮ携帯機器は、加入者の汎用電話番号（例えば、555-555-1234）を割り当てられ、ＷＬＡＮ装置がＷＬＡＮ１４０の範囲にあるとき、呼サーバ１２０を登録する（５０５）。アナログ家庭電話（例えば、１８１ｃ）を使用して、他の発呼者（例えば、加入者の子供）が、加入者のＷＬＡＮ装置を（例えば、＊１を押すことによって）呼び出し（５２０）、アナログ家庭電話（例えば、１８１ｃ）も、加入者の汎用電話番号（例えば、555-555-1234）に割り当てられている。
【００５５】
上記のように、（アナログ家庭電話が接続された）ネットワーク１１０ｂは、エッジサーバ１１５ｂに適切な幹線を通して、その加入者の番号に対する全ての呼をルーティングするように構成される。エッジサーバ１１５ｂは入呼信号伝達を受信し（５２５）、加入者が発した呼に対するルーティング情報をルートサーバ１２５から要求する（５２５）。ルートサーバ１２５は、（例えば、加入者の汎用番号555-555-1234である呼番号を使用して）その特定の加入者に呼を提供している呼サーバ１２０を決定する（５３０）。ルートサーバ１２５はルーティング情報を返し、エッジサーバ１１５ｂは、指示された呼サーバ１２０に信号伝達情報をルーティングする（５３５）。呼サーバ１２０は、アプリケーション・サーバ１３０と通信することによって、加入者が申し込むサービスを起動する（５４０）。追加サービスを提供する必要性が生じたら、アプリケーション・サーバ１３０は任意の初期サービスを適用し（５４５）、呼信号伝達経路にとどまる（５４５）。ネットワーク１０５は、キーを押す順番（例えば、＊１）を使用して、加入者のＷＬＡＮ装置に呼がルーティングされることを決定する。他の実施例では、１つのキーを押す順番が構内電話機能が所望されることを示すために使用でき、ネットワーク１０５は、装置の優先順位を付けられたリストを使用して、どの装置を呼び出すか決定でき、又は全ての装置を同時に鳴らし、最初に応答した装置に呼をルーティングできる。更に他の実施例では、発呼者は加入者の汎用番号（例えば、555-555-1234）を呼び出すことができ、ネットワーク１０５は、装置の優先順位を付けられたリストを使用して、１又は複数の装置に呼をルーティングするか、又は全ての装置を同時に鳴らし、最初に応答した装置に呼をルーティングする。
【００５６】
呼サーバ１２０は、ルートサーバ１２５に要求を送信することによって、加入者のＷＬＡＮ装置に対するルーティング情報を得る（５５０）。ルートサーバ１２５は、ＷＬＡＮ装置に対するルーティング情報を返す（５５５）。プロセス５００では、呼サーバ１２０は加入者の登録されたＷＬＡＮ装置を有し、従って、加入者のＷＬＡＮ装置に呼をルーティングするために（５６０）、ルーティング情報を使用できる。加入者のＷＬＡＮ装置は、ネットワーク１０５とネットワーク１１０ｄ、及びエッジサーバ１１５ｄを介して通信するので、呼サーバ１２０はエッジサーバ１１５ｄに呼を送信する。エッジサーバ１１５ｄは、ルーティング情報の終了をルートサーバ１２５に問い合わせる（５６５）。ルートサーバ１２５は、呼に対するルーティング情報の終了を返し（５７０）、エッジサーバ１１５ｄは、エッジサーバ１１５ｂと一体の媒体経路を発生し、ネットワーク１１０ｄを使用して（５７５）、加入者のアナログ家庭装置と加入者のＷＬＡＮ装置の間で呼をルーティングする（５６５）。
【００５７】
図６は、第１加入者（加入者Ａと称する）からの呼を第２加入者（加入者Ｂと称する）に接続するためのプロセス６００を示す。加入者Ｂは、加入者のＷＬＡＮ携帯機器（例えば、装置１４３、又は装置１６０の無線装置１６９）をオンにする。ＷＬＡＮ装置がＷＬＡＮ１４０の範囲にあるとき、加入者ＢのＷＬＡＮ装置は第１呼サーバ（例えば、１２０）を登録する（６０５）。加入者Ａは、加入者Ａのアナログ家庭電話（例えば、１８１ａ）を使用して、加入者Ｂの汎用電話番号を呼び出す（６１６）。上記のように、アナログ家庭電話が接続されるネットワーク１１０ｂは、エッジサーバ１１５ｂに適切な幹線を通してネットワーク１０５の加入者からの全ての呼をルーティングするように構成される。加入者Ａが発呼しているので、呼は自動的にネットワーク１０５にルーティングされる。
【００５８】
エッジサーバ１１５ｂは入呼信号伝達を受信し（６２０）、呼を発している加入者に対するルーティング情報をルートサーバ１２５から要求する（６２０）。ルートサーバ１２５は、加入者Ａに呼を提供している呼サーバを決定する（６２４）。ルートサーバ１２５はルーティング情報を返し、エッジサーバ１１５ｂは、指示された呼サーバ（この実施例では、第２呼サーバ（図示されない））に信号伝達情報をルーティングする（６２８）。第２呼サーバは、アプリケーション・サーバ１３０と通信することによって、加入者Ａが申し込むサービスを起動する（６３２）。加入者Ａに対する追加サービスを提供する必要性が生じたら、アプリケーション・サーバ１３０は、任意の初期サービスを加入者Ａに適用し（６３６）、呼信号伝達経路にとどまる（６３６）。
【００５９】
第２呼サーバは、被呼者も加入者（即ち、加入者Ｂ）であることを決定する。第２呼サーバは、ルートサーバ１２５に要求を送信することによって、加入者Ｂに対して機能を提供している呼サーバを得る（６４０）。プロセス６００では、加入者Ｂに対して機能を提供している呼サーバは第１呼サーバ１２０であり、加入者ＢのＷＬＡＮ装置は第１呼サーバ１２０に登録される。第２呼サーバは、第１呼サーバ１２０に呼をルーティングする（６４８）。第１呼サーバ１２０は、アプリケーション・サーバ１３０と通信することによって、加入者Ｂが申し込むサービスを起動する（６５２）。加入者Ｂに対する追加サービスを提供する必要性が生じたら、アプリケーション・サーバ１３０は、任意の初期サービスを加入者Ｂに適用し（６５６）、呼信号伝達経路にとどまる（６５６）。第１呼サーバ１２０は、ルートサーバ１２５に要求を送信することによって、加入者Ｂのルーティング優先度を得る（６６０）。加入者Ｂに対するルーティング優先度を決定するために、ルートサーバ１２５は加入者によって入力された優先度リストを使用するか、又はもし加入者がその種のリストを入力していなければ、デフォルト・ルーティング優先度を使用する。例えば、プロセス６００では、加入者Ｂが呼を加入者ＢのＷＬＡＮ装置へ１番目にルーティングして欲しく、加入者Ｂのセルラ装置へ２番目にルーティングして欲しく、もし他の装置が使用中でなければ、加入者Ｂの自宅の地上線装置へルーティングして欲しいことを示す優先度リストに、加入者Ｂは予め入力している。ルートサーバ１２５は、優先度リストによって指示されるように、装置に対するルーティング情報を返す（６６４）。
【００６０】
プロセス６００では、第１呼サーバ１２０は加入者Ｂの登録されたＷＬＡＮ装置を有し、従って、加入者のＷＬＡＮ装置に呼をルーティングするために（６６８）、第１優先順位に対するルーティング情報を使用できる。加入者のＷＬＡＮ装置は、ネットワーク１０５とネットワーク１１０ｄ、及びエッジサーバ１１５ｄを介して通信するので、第１呼サーバ１２０はエッジサーバ１１５ｄに呼を送信する。エッジサーバ１１５ｄは、ルーティング情報の終了をルートサーバ１２５に問い合わせる（６７２）。ルートサーバ１２５は、呼に対するルーティング情報の終了を返し（６７６）、エッジサーバ１１５ｄは、エッジサーバ１１５ｂと一体の媒体経路を発生し、ネットワーク１１０ｄを使用して、加入者のアナログ家庭装置と加入者のＷＬＡＮ装置の間で呼をルーティングする（６７２）。他の実施例では、呼をルーティングするためのセルラ・ネットワークのデータチャネルを使用して、以下に記載されたプロセス７００に類似するプロセスが利用できる。
【００６１】
上記のプロセスの中には、エッジサーバ１１５（例えば、ネットワーク１１０ｂ，１１０ｃ，１１０ｄ）を介してサービスプロバイダ・ネットワーク１０５に直接接続されるネットワークに加入者が発呼するものもある。しかし、サービスプロバイダ・ネットワーク１０５に直接接続されていないセルラ・ネットワーク（例えば、１１０ｅ）上の加入者のセルラ装置（例えば、１５６ａ）を使用して加入者が発呼するとき、シナリオが存在する。これらのシナリオでは、加入者はＰＳＴＮ１１０ａ上の誰かに対して電話の呼び出しができ、ネットワーク１１０ｅからＰＳＴＮ１１０ａに呼がルーティングされ、ＰＳＴＮ１１０ａによって被呼者に呼が接続される。その種のシナリオでは、サービスプロバイダ・ネットワーク１０５は呼に含まれず、サービスプロバイダはサービスを提供しない。図７は、ネットワーク１０５が加入者にサービスを提供できるように、その種のシナリオで呼にネットワーク１０５を取り入れるためのプロセス７００を示す。
【００６２】
プロセス７００では、加入者は、キーパッドを使用して番号を押すこと、及び「送信」を押すことによって、ＰＳＴＮ１１０ａに接続された非加入者に発呼する（７０２）。サービスプロバイダ・ネットワーク１０５に呼情報を送信するために（７０４）、被呼者に接続するためにＰＳＴＮ１１０ａに被呼番号を送信する代わりに、セルラ装置（例えば、１５６ａ）はセルラ・ネットワーク１１０ｅのデータチャネルを使用する。呼情報は、例えば、被呼番号、及び呼番号を含む。例えば、もしセルラ・ネットワーク１１０ｅがＧＳＭネットワークなら、データチャネルは汎用パケット無線システム（ＧＰＲＳ）規格、 enhanced data rates for GSM evolution （ＥＤＧＥ）規格、 universal mobile telecommunications system （ＵＭＴＳ）規格、広帯域符号分割多重アクセス（Ｗ−ＣＤＭＡ）規格、等に基づき得る。同様に、もしセルラ・ネットワーク１１０ｅがＣＤＭＡネットワークなら、 データチャネルは 1 times radio transmission technology （１ｘ−ＲＴＴ）規格、 1 times evolution - data only （１ｘＥｖ−ＤＯ）規格、ＣＤＭＡ２０００規格、等に基づき得る。
【００６３】
１実施例では、データチャネルはＩＰパケットベースのチャネルなので、システム１００はＩＰネットワーク（例えば、ネットワーク１１０ｄ）を通してネットワーク１０５に呼情報を送信する。関連するエッジサーバ１１５ｄは、呼情報を受信する（７０６）。呼情報（例えば、データに含まれる呼番号）に基づいて、ネットワーク１０５は、特定の加入者と一体の呼情報に関連付けられる。エッジサーバ１１５ｄは、呼を発している加入者に対するルーティング情報をルートサーバ１２５から要求する（７０６）。ルートサーバ１２５は、その特定の加入者に対して呼を提供している呼サーバ１２０を決定する（７０８）。ルートサーバ１２５はルーティング情報を返し、エッジサーバ１１５ｂは、指示された呼サーバ１２０に呼情報をルーティングする（７１０）。呼サーバ１２０は、アプリケーション・サーバ１３０と通信することによって、加入者が申し込むサービスを起動する（７１２）。
【００６４】
アプリケーション・サーバ１３０は任意の初期サービスを適用し、ＰＳＴＮ１１０ａ上の加入者と被呼者の間の呼を完了させるための適切な介入を決定する（７１４）。プロセス７００は、ネットワーク１０５がサービスを提供する呼経路に含まれることを可能にするためにシステム１００が追従できる２つの例示的なプロセス経路Ｄ１，Ｄ２を示す。Ｄ１経路では、ＰＳＴＮ１１０ａがネットワーク１０５aに呼をルーティングするように、及び被呼者に呼をルーティングすることをネットワークが継続するように、ネットワーク１０５は一時的な番号を提供する。Ｄ２経路では、ネットワーク１０５は発呼者と被呼者の両方を呼び出し、２つのコールレグを接続する。
【００６５】
もしアプリケーション・サーバ１３０がＤ１プロセスに追従するなら、アプリケーション・サーバ１３０は一時的な代用電話番号を選択し（７１６）、（呼情報からの）被呼番号と一時的な代用番号の間の関連を記憶する（７１６）。アプリケーション・サーバ１３０は、代用番号を呼サーバ１２０に送信する。呼サーバ１２０は、例えば、ＩＰベースのネットワーク１１０ｄに対応するエッジサーバ１１５ｄを使用して（７２０）、セルラ・データチャネルを通して加入者のセルラ装置（例えば、１５６ａ）に代用番号を送信する。
【００６６】
セルラ装置はデータチャネルを通して代用番号を受信し、セルラ・ネットワーク１１０ｅ、及びＰＳＴＮ１１０ａを通して代用電話番号を呼び出す（７２１）。一時的な代用電話番号の１つの特徴は、ＰＳＴＮ１１０ａに対して、代用電話番号がネットワーク１０５に関連付けられることである。言い換えると、代用電話番号に発呼するためにネットワーク１１０ｅから呼信号伝達をＰＳＴＮ１１０ａが受信するとき、ネットワーク１０５のエッジサーバ１１５ａに呼をＰＳＴＮ１１０ａがルーティングする。エッジサーバ１１５ａは入呼信号伝達を受信し（７２４）、呼び出された代用番号に対するルーティング情報をルートサーバ１２５から要求する（７２４）。ルートサーバ１２５は、特定の代用番号に対して呼を提供する呼サーバ１２０を決定する（７２７）。ルートサーバ１２５はルーティング情報を返し、エッジサーバ１１５ａは、指示された呼サーバ１２０に呼情報をルーティングする（７３０）。
【００６７】
呼サーバ１２０は、アプリケーション・サーバ１３０と通信することによって、被呼番号が申し込むサービスを起動する（７３３）。アプリケーション・サーバ１３０は、これが特定の加入者（例えば、発呼者）に関連付けられ、その加入者にサービスを適用する代用電話番号であることを決定する（７３６）。また、アプリケーション・サーバ１３０も、加入者が呼び出したい他の電話番号（即ち、記憶された番号（７１６））にこの代用番号が関連付けられることを決定する（７３６）。アプリケーション・サーバ１３０は、呼サーバ１２０に加入者が呼び出したい電話番号（即ち、加入者から受信した（７０６）被呼番号）を返す。
【００６８】
呼サーバ１２０は、サーバ１２５に要求を送信することによって、加入者が呼び出したい電話番号（即ち、元の被呼番号）に対するルートを得る（７４０）。ルートサーバ１２５は、加入者が呼び出したい電話番号に対するルーティング情報を発見し（７４３）、呼サーバ１２０にルーティング情報を返す。呼サーバは、ＰＳＴＮ１１０ａ上の被呼者に呼をルーティングするエッジサーバ１１５ａに呼をルーティングする。ＰＳＴＮ１１０ａは被呼者に呼をルーティングし（７５１）、今は、ネットワーク１０５が呼に含まれる。
【００６９】
もしアプリケーション・サーバ１３０がＤ２プロセスに追従したら、アプリケーション・サーバ１３０は、所望する呼の両方のレグを呼び出すためのプロセスを実行する。アプリケーション・サーバ１３０は、加入者のセルラ装置（例えば、１５６ａ）に発呼するためのプロセスを開始する（７５４）。アプリケーション・サーバ１３０は、加入者のセルラ装置（例えば、１５６ａ）に対するＴＬＤＮを得るために、セルラ・ネットワーク１１０ｅのＨＬＲ１４８ａに要求を送信する。セルラ・ネットワーク１１０ｅは要求に応答し（７５８）、加入者のセルラ装置に対するＴＬＤＮを返す。アプリケーション・サーバ１３０は、加入者のセルラ装置を用いてコールレグを設定するために、呼サーバ１２０にＴＬＤＮ情報を提供する（７６１）。
【００７０】
呼サーバ１２０は、ルートサーバ１２５からＴＬＤＮに対するルーティング情報を要求する（７６４）。ルートサーバ１２５はルーティング情報を得て、呼サーバ１２０にその情報を返す（７６５）。ネットワーク１１０ｅはネットワーク１０５に直接接続されないので、呼サーバ１２０は、（ＰＳＴＮ１１０ａに関連付けられた）エッジサーバ１１５ａに呼をルーティングする（７６４）。エッジサーバ１１５ａは、ルーティング情報の終了をルートサーバ１２５に問い合わせる（７６７）。ルートサーバ１２５は、呼に対するルーティング情報の終了を返し（７６８）、エッジサーバ１１５ａは、間接的に接続されたネットワーク１１０ｅ、及び加入者のセルラ装置に呼をルーティングする（７７０）ためのネットワーク１１０ａを使用して（７６９）、加入者のセルラ装置に呼をルーティングする（７６７）。呼サーバ１２０は、コールレグが接続されてきたアプリケーション・サーバ１３０に、応答を送信する（７７２）。
【００７１】
加入者のセルラ装置を用いてコールレグが確立される間に（又は、後に）、アプリケーション・サーバは、加入者が呼び出したい電話番号（即ち、加入者から受信する（７０６）被呼番号）に発呼するためのプロセスを開始する（７７３）。アプリケーション・サーバ１３０は、被呼番号を用いてコールレグを確立するために、呼サーバ１２０に呼び出された電話番号を送信する（７７３）。呼サーバ１２０は、ルートサーバ１２５から、被呼番号に対するルーティング情報を要求する（７７６）。ルートサーバ１２５はルーティング情報を得て、呼サーバ１２０にその情報を返す（７７７）。被呼番号はＰＳＴＮ１１０ａに関連付けられるので、呼サーバ１２０は、ＰＳＴＮ１１０ａに関連付けられたエッジサーバ１１５ａに呼をルーティングする。
【００７２】
エッジサーバ１１５ａは、ルーティング情報の終了をルートサーバ１２５に問い合わせる（７７９）。ルートサーバ１２５は、呼に対するルーティング情報の終了を返し（７８０）、エッジサーバ１１５ａは、ネットワーク１１０ａを使用して（７８１）、被呼番号に呼をルーティングする（７７９）。呼サーバ１２０は、コールレグが接続してきたアプリケーション・サーバ１３０に応答を送信する（７７２）。呼の両方のレグが接続されていたとき、アプリケーション・サーバ１３０は、２つのコールレグを接続するためのプロセスを開始する（７８８）。エッジサーバ１１５ａは、被呼番号と一体の加入者のセルラ装置の媒体経路を接続する（７９０）。ネットワーク１０５を通して２つのレグを接続することによって、ネットワーク１０５は呼に含まれ、加入者にサービスを提供することができる。一時的な番号の使用を必要としている後続の呼に対して使用できるように、プロセス７００で使用される一時的な番号は、一時的な番号の「プール」に返される。例示として、プロセス７００はネットワーク１１０ｅを使用すると記載したが、直接接続されたネットワーク（例えば、１１０ｃ）と一緒にプロセス７００が使用できることは注目に値する。
【００７３】
上記のプロセスは、加入者を含む呼と、異なるネットワークに関連付けられた加入者の種々の装置を接続することを記載する。異なる装置の幾つかと呼の接続に加えて、ネットワーク１０５も、１つのネットワークに関連付けられた加入者の第１装置から他のネットワークに関連付けられた加入者の第２装置へのプロセスで、呼をハンドオフできる。図８は、ネットワーク１０５が、セルラ・ネットワーク上で使用中の加入者のセルラ装置からＷＬＡＮネットワーク上で使用中の加入者のＷＬＡＮ装置への呼のハンドオフを実行するプロセス８００を示す。いくつかの実施例では、セルラ装置とＷＬＡＮ装置は、２つの異なる物理的装置（例えば、１５６ｃ，１４３）であり得る。プロセス８００では、それらは同じ物理的装置（例えば、１６９，１７２）に含まれる。また、プロセス８００では、セルラ装置（例えば、１６９）、及びＷＬＡＮ装置（例えば、１７２）は、同一の電話番号が両方に割り当てられる。
【００７４】
加入者は、加入者の携帯機器（例えば、装置１６０）をオンにする。いくつかの実施例では、バッテリの寿命を維持するために、もし装置が関連するネットワークの範囲にあれば、装置１６０は見るべき１つの無線装置をオンにして、もし範囲になければ、他の無線装置をオンにする。装置１６０は、好ましいネットワークに関連付けられた無線装置で始める。例えば、もしＷＬＡＮネットワークが好ましければ、装置１５０はＷＬＡＮ無線装置（例えば、１７２）を最初にオンにする。ＷＬＡＮネットワーク（例えば、１１０ｄ）の範囲になければ、装置はＷＬＡＮ無線装置（例えば、１７２）をオフにして、セルラ無線装置（例えば、１６９）をオンにする。ＲＡＮ（例えば、１５３ｄ）の範囲にあるので、セルラ携帯機器（例えば、１６９）はセルラ・ネットワーク（例えば、１１０ｃ）を登録する（８０３）。携帯機器１６０がＷＬＡＮ（例えば、１１０ｄ）の範囲に移動したかを決定するために、装置１６０は、ＷＬＡＮ無線装置（例えば、１７２）をスタンバイからアクティブ・モード（例えば、ウェイクアップ）に周期的に変える。
【００７５】
セルラ・ネットワーク（例えば、１１０ｃ）と通信して登録する装置１６０を用いて、加入者はＰＳＴＮ１１０ａで１つの番号を呼び出す（８０６）。例えば、もし装置がネットワーク１１０ｃと通信していたら、ネットワーク１１０ｃは、ネットワーク１０５の加入者から呼が発せられていることを決定し、エッジサーバ１１５ｃに呼をルーティングする。上記のように、ネットワーク１１０ｃは、（例えば、ネットワーク１０５のオペレータの合意のもとで）エッジサーバ１１５ｃに適切な幹線を通して、その加入者の番号への／からの全ての呼をルーティングするように構成される。エッジサーバ１１５ｃは入呼信号伝達を受信し、呼を発している加入者に対するルーティング情報をルートサーバ１２５から要求する（８０９）。ルートサーバ１２５は、その特定の加入者に対して呼を提供している呼サーバ１２０を決定する（８１２）。ルートサーバ１２５はルーティング情報を返し、エッジサーバ１１５ｃは指示された呼サーバ１２０に信号伝達情報をルーティングする（８１５）。呼サーバ１２０は、アプリケーション・サーバ１３０と通信することによって、加入者が申し込むサービスを起動する（８１８）。追加サービスを提供する必要性が生じたら、アプリケーション・サーバ１３０は任意の初期サービスを適用し（８２１）、呼信号伝達経路にとどまる（８２１）。
【００７６】
呼サーバ１２０は、被呼番号に対するルーティング情報をルートサーバ１２５から要求する（８２４）。ルートサーバ１２５はルーティング情報を得て、呼サーバ１２０にその情報を返す（８２７）。被呼番号はＰＳＴＮ１１０ａに関連付けられるので、呼サーバ１２０は、ＰＳＴＮ１１０ａに関連付けられたエッジサーバ１１５ａに呼をルーティングする（８３０）。エッジサーバ１１５ａは、ルーティング情報の終了をルートサーバ１２５に問い合わせる（８８３）。ルートサーバ１２５は、呼に対するルーティング情報の終了を返し（８３５）、エッジサーバ１１５ａは、ネットワーク１１０ａを使用して（８３８）、呼を被呼番号にルーティングする（８３３）。
【００７７】
周期的チェックの１つの間に、装置１６０はＷＬＡＮ無線装置（例えば、１７２）をオンにし、ＷＬＡＮ無線装置はＷＬＡＮ（例えば、１４０）を範囲内で検出する（８４１）。ＷＬＡＮ装置は、ＷＬＡＮをまたがって登録情報を送信する（８４１）。ＷＬＡＮに対応するエッジサーバ（例えば、１１５ｄ）は登録情報を受信し（８４４）、呼サーバ１２０にその情報を送信する。呼サーバ１２０は、アプリケーション・サーバ１３０に情報を送信する（８４７）。アプリケーション・サーバ１３０は、ＷＬＡＮ装置が関連付けられた加入者が既に呼び出し中であることを決定する（８４７）。アプリケーション・サーバ１３０は、ＷＬＡＮ装置を用いてコールレグを確立するために、プロセスを開始する（８５０）。プロセス中の呼は同じ物理的装置と一体であるが、呼がセルラ・ネットワーク１１０ｃ、及び第１無線装置１６９を現在通過中であることは注目に値する。コールレグがＷＬＡＮ装置と確立されるとき、そのコールレグはＩＰネットワーク１１０ｄ、及び第２無線装置１７２を通過する。
【００７８】
アプリケーション・サーバ１３０は、ＷＬＡＮ装置（例えば、１７２）とコールレグを確立するように、呼サーバに指示する（８５０）。呼サーバ１２０は、ＷＬＡＮ装置に対するルーティング情報を、ルートサーバ１２５から要求する（８４９）。ルートサーバ１２５はルーティング情報を得て、呼サーバ１２０にその情報を返す（８５１）。呼サーバ１２０はエッジサーバ１１５ｄに呼をルーティングし（８４９）、エッジサーバ１１５ｄは、ＩＰネットワーク１１０ｄに関連付けられたエッジサーバである。エッジサーバ１１５ｄは、ルーティング情報の終了をルートサーバ１２５に問い合わせる（８５３）。ルートサーバ１２５は、呼に対するルーティング情報の終了を返し（８５１）、エッジサーバ１１５ｄは、ネットワーク１１０ｄを使用して（８５７）、呼を被呼番号にルーティングする（８５３）。
【００７９】
コールレグがＷＬＡＮ装置と確立されるので、アプリケーション・サーバ１３０は、加入者を有する既存の呼にＷＬＡＮレグを追加するためのプロセスを開始する（８６０）。例えば、 SIP “REINVITE” 命令が使用できる。呼サーバ１２０は、セルラ・ネットワーク１１０ｃに機能を提供しているエッジサーバ１１５ｃに SIP “REINVITE” 命令を送信する（８６３）。エッジサーバ１１５ｃは、ＷＬＡＮネットワーク１１ｄに機能を提供しているエッジサーバ１１５ｄを用いたプロセス中の呼の媒体経路を接続する。今やＷＬＡＮレグが媒体経路に接続されたので、アプリケーション・サーバ１３０は、セルラ装置に行くコールレグを削除するためのプロセスを開始する（８６９）。エッジサーバ１１５ｃは、セルラ装置（例えば、１６９）に行くコールレグを切断し（８７２）、セルラ・ネットワーク１１０ｃ中の呼経路を削除する（８７５）。この実施例では、エッジサーバ１１５ｃは、呼の最初から終わりまで媒体経路にとどまる。これは、例えば、電線タップを設定しても良い公的機関が、セルラ装置からＷＬＡＮ装置へ呼がハンドオフされた後に、呼にとどまることを可能にする。いくつかの実施例では、ＰＳＴＮ１１０ａに機能を提供しているエッジサーバ１１５ａ、及びＷＬＡＮ・ＩＰネットワーク１１０ｄに機能を提供しているエッジサーバ１１５ｄからの直接媒体経路が存在するように、媒体経路はエッジサーバ１１５ｃを通して削除できる。
【００８０】
図９は、加入者のＷＬＡＮ装置（例えば、１７２）から加入者のセルラ装置（例えば、１６９）に、プロセス中の呼が転送される、例示的なハンドオフ・プロセス９００を示す。ＷＬＡＮ装置は、装置がＷＬＡＮ（例えば、１４０）の範囲にあること、及びＷＬＡＮ装置を登録すること（９０３）を検出する（９０３）。同様に、セルラ装置は、装置がセルラ・ネットワークＲＡＮ（例えば、１１０ｄ）の範囲にあること、及びセルラ装置を登録すること（９０６）を検出する（９０６）。上記のように、装置１６０は、互換ネットワークの範囲にあるときは、好ましい無線装置を使用することのみによって、バッテリ電力を維持するようにプログラムできる。いくつかの実施例では、もしＷＬＡＮ装置が好ましければ、ＷＬＡＮ装置に対する信号が弱ってきていること、及びセルラ・ネットワークへの切り替えが必要であろうことを装置１６０が検出するまで、セルラ装置は除外される。いくつかの実施例では、ＷＬＡＮ接続が存在するときは、セルラ・ネットワークの音声チャネルは確立されないが、以下に記載されるように、メッセージがデータチャネルをまたがって送信できるように、セルラ・ネットワークを有するデータチャネルが確立される。
【００８１】
装置１６０がＷＬＡＮネットワーク（例えば、１１０ｄ）と通信して登録されるので、加入者はＰＳＴＮ１１０ａで１つの番号を呼び出す（９１５）。ＩＰネットワーク上で発呼するとき、例えば、ＩＰアドレスを使用して、エッジサーバ１１５ｄにパケットがルーティングされる。エッジサーバ１１５ｄは入呼信号伝達を受信し（９１８）、呼を発している加入者に対するルーティング情報をルートサーバ１２５から要求する（９１８）。ルートサーバ１２５は、その特定の加入者に対して呼を提供している呼サーバ１２０を決定する（９２１）。ルートサーバ１２５はルーティング情報を返し、エッジサーバ１１５ｄは指示された呼サーバ１２０に信号伝達情報をルーティングする（９２４）。呼サーバ１２０は、アプリケーション・サーバ１３０と通信することによって、加入者が申し込むサービスを起動する（９２７）。追加サービスを提供する必要性が生じたら、アプリケーション・サーバ１３０は任意の初期サービスを適用し（９３０）、呼信号伝達経路にとどまる（９３０）。
【００８２】
呼サーバ１２０は、被呼番号に対するルーティング情報を、ルートサーバ１２５から要求する（９３３）。ルートサーバ１２５はルーティング情報を得て、呼サーバ１２０にその情報を返す（９３６）。被呼番号はＰＳＴＮ１１０ａに関連付けられるので、呼サーバ１２０は、ＰＳＴＮ１１０ａに関連付けられたエッジサーバ１１５ａに呼をルーティングする（９３９）。エッジサーバ１１５ａは、ルーティング情報の終了をルートサーバ１２５に問い合わせる（９４１）。ルートサーバ１２５は、呼に対するルーティング情報の終了を返し（９４２）、ネットワーク１１０ａを使用して（９４３）、エッジサーバ１１５ａは被呼番号に呼をルーティングする（９４２）。
【００８３】
呼の間に時々、装置１６０は、ＷＬＡＮ信号が弱ってきていること、及びセルラ装置（例えば、１６９）を起動させること（９４５）を決定する（９４５）。１実施例では、装置１６０は、ＷＬＡＮとの通信信号の信号強度をモニタして、もし信号強度が予め決められた閾値を下回れば、装置１６０はセルラ装置をオンにする。もし呼がプロセス中なら、この起動タスクは、待機モードの装置よりも更に高速に、及び更に早期に実行される。プロセス９００では、装置１６０が、ＷＬＡＮとの通信の喪失があり得ること、及び呼が進行中であることを決定するとき、装置１６０は、セルラ・ネットワーク（例えば、ＧＳＭ）の（例えば、ＧＰＲＳ規格に適合する）データチャネルを通して、転送要求を送信する（９４５）。いくつかの実施例では、転送要求はデータなので、要求はセルラ・ネットワーク（例えば、１１０ｃ）からＩＰベースのネットワーク（例えば、１１０ｄ）に伝わり、エッジサーバ１１５ｄを通してネットワークに達する。
【００８４】
エッジサーバ１１５ｄは、入って来る転送要求を受信し（９４７）、加入者に機能を提供している呼サーバに対するルーティング情報のためのルートサーバ１２５を、要求が送信される装置から問い合わせる（９４７）。ルートサーバ１２５は、その特定の加入者に対して呼を提供している呼サーバ１２０を決定する（９４９）。ルートサーバ１２５はルーティング情報を返し、エッジサーバ１１５ｄは、指示された呼サーバ１２０に転送要求をルーティングする（９４７）。呼サーバ１２０は、転送要求をアプリケーション・サーバ１３０に転送する（９５１）。アプリケーション・サーバ１３０は、プロセス中の呼を用いて、要求が、ＷＬＡＮ装置が範囲外で移動していること、及びセルラ装置に対するハンドオフが必要なことを示すことを決定する（９５２）。
【００８５】
アプリケーション・サーバ１３０は、ハンドオフ・アプリケーションに、プロセス中の呼をＷＬＡＮ装置（例えば、１７２）からセルラ装置（例えば、１６９）へ転送することを開始させる（９５３）。アプリケーション・サーバ１３０は、加入者のセルラ装置（例えば、１６９）に対するＴＬＤＮを得るために、セルラ・ネットワーク１１０ｃのＨＬＲ（例えば、１４８ａ）に要求を送信する（９５６）。セルラ・ネットワーク１１０ｃは要求に応答し（９５９）、加入者のセルラ装置に対するＴＬＤＮを返す。アプリケーション・サーバ１３０は、加入者のセルラ装置とコールレグを設定するために、呼サーバ１２０にＴＬＤＮ情報を提供する（９６２）。
【００８６】
呼サーバ１２０は、ＴＬＤＮに対するルーティング情報を、ルートサーバ１２５から要求する（９６５）。ルートサーバ１２５はルーティング情報を得て、呼サーバ１２０にその情報を返す（９６８）。呼サーバ１２０は、セルラ装置とコールレグを確立するために、セルラ・ネットワークに関連付けられたエッジサーバ１１５ｃに呼をルーティングする（９７１）。エッジサーバ１１５ａは、ルーティング情報の終了をルートサーバ１２５に問い合わせる（９７４）。ルートサーバ１２５は、呼に対するルーティング情報の終了を返し（９７６）、ネットワーク１１０ｃを使用して（９７９）、エッジサーバ１１５ｃは、加入者のセルラ装置に呼をルーティングする（９７４）。呼サーバ１２０は、コールレグが接続されたことを、アプリケーション・サーバ１３０に応答する（９７１）。
【００８７】
コールレグがセルラ装置装置と確立されるので、アプリケーション・サーバ１３０は、加入者を有する既存の呼にセルラ・レグを追加するためのプロセスを開始する（９８１）。例えば、 SIP “REINVITE” 命令が使用できる。呼サーバ１２０は、セルラ・ネットワーク１１０ｃに機能を提供しているエッジサーバ１１５ｃと確立したコールレグを、ＷＬＡＮ装置を用いてコールレグを管理しているエッジサーバ１１５ｄに送信する（９８４）。エッジサーバ１１５ｄは、セルラ・ネットワーク１１０ｃに機能を提供しているエッジサーバ１１５ｃを用いたプロセス中の呼の媒体経路を接続する（９８７）。今やセルラ・レグが媒体経路に接続されたので、アプリケーション・サーバ１３０は、ＷＬＡＮ装置に行くコールレグを削除するプロセスを開始する（９９０）。エッジサーバ１１５ｄは、セルラ装置（例えば、１７２）に行くコールレグを切断し（９９２）、ＷＬＡＮ１４０中の呼経路を削除する（９９４）。例示的なプロセス８００と同様に、この実施例では、エッジサーバ１１５ｄは、優先順位、及び／又は規定によって、呼の始めから終わりまで媒体経路にとどまる。いくつかの実施例では、ＰＳＴＮ１１０ａに機能を提供しているエッジサーバ１１５ａ、及びセルラ・ネットワーク１１０ｃに機能を提供しているエッジサーバ１１５ｃからの直接媒体経路が存在するように、媒体経路はエッジサーバ１１５ｄを通して削除できる。
【００８８】
ハンドオフ・プロセス８００，９００では、ＷＬＡＮ装置とセルラ装置が同じ物理的装置（例えば、装置１６０の１６９、及び１７２）にあるとき、プロセッサ要素１７５は、装置１６０の一般的なスピーカに音声データを送信することの調整を管理できる。その種のシナリオでは、電話の呼び出しが、１つの無線装置、及び関連するネットワークから他の無線装置、及び関連するネットワークに切り替わったことにユーザは気付かない。しかし、同じ物理的装置は、ハンドオフ手順に対する必要条件ではない。ネットワーク１０５は加入者の装置の全てに対する呼を管理するので、ネットワーク１０５は任意の装置から任意の他の装置にハンドオフできる。２つの物理的装置が存在するとき、加入者は１つの装置を切り、他の装置に話すことを開始し、それによって呼が転送されたことに気付く。図１０は、ネットワーク１０５が、加入者の地上線装置（例えば、１８１ａ）から加入者のモバイル・セルラ装置（例えば、１５６ｃ）へのプロセス中の呼のハンドオフを実行する例示的なプロセス１０００を示す。
【００８９】
加入者の地上線電話（例えば、１８１ａ）を使用して、加入者はＰＳＴＮ１１０ａで１つの番号を呼び出す（１００６）。ネットワーク１１０ｂで発呼するとき、エッジサーバ１１５ｂに呼を直接ルーティングできる。エッジサーバ１１５ｂは入呼信号伝達を受信し（１００９）、呼を発している加入者に対するルーティング情報をルートサーバ１２５から要求する（１００９）。ルートサーバ１２５は、その特定の加入者に対して呼を提供している呼サーバ１２０を決定する（１０１２）。ルートサーバ１２５はルーティング情報を返し、エッジサーバ１１５ｂは、指示された呼サーバ１２０に信号伝達情報をルーティングする（１０１５）。呼サーバ１２０は、アプリケーション・サーバ１３０と通信することによって、加入者が申し込むサービスを起動する（１０１８）。追加サービスを提供する必要性が生じたら、アプリケーション・サーバ１３０は任意の初期サービスを適用し（１０２１）、呼信号伝達経路にとどまる（１０２１）。
【００９０】
呼サーバ１２０は、被呼番号に対するルーティング情報を、ルートサーバ１２５から要求する（１０２４）。ルートサーバ１２５はルーティング情報を得て、呼サーバ１２０にその情報を返す（１０２７）。被呼番号はＰＳＴＮ１１０ａに関連付けられるので、呼サーバ１２０は、ＰＳＴＮ１１０ａに関連付けられたエッジサーバ１１５ａに呼をルーティングする（１０３０）。エッジサーバ１１５ａは、ルーティング情報の終了をルートサーバ１２５に問い合わせる（１０３３）。ルートサーバ１２５は、呼に対するルーティング情報の終了を返し（１０３２）、ネットワーク１１０ａを使用して（１０３６）、エッジサーバ１１５ａは被呼番号に呼をルーティングする（１０３３）。
【００９１】
呼の間に時々、加入者は、アナログ地上線装置（例えば、１８１ａ）から加入者のセルラ装置（例えば、１５６ｃ）に呼を転送することを加入者が欲していることをネットワーク１０５に指示する（１０４１）。例えば、呼の間に特定の順番の数字（例えば、＊１２）を打つことによって、加入者は転送のための要求を指示できる。ネットワーク１１０ｂは加入者に機能を提供していないので、ネットワーク１１０ｂは、キーを押す順番（例えば、ＤＴＭＦトーン）を検出しない（又は、作用しない）。代わりに、キーを押す順番は、ネットワーク１０５のエッジサーバ１１５ｂに呼の一部として（例えば、音声信号成分の一部として）一般に転送される（１０４１）。エッジサーバ１１５ｂは呼サーバ１２０にその順番を転送し（１０４１）、呼サーバ１２０はアプリケーション・サーバ１３０にその順番を転送する（１０４５）。これも、例えば、 SIP “INFO” メッセージを使用して行うことができる。
【００９２】
アプリケーション・サーバ１３０はキーを押す順番を受信し（１０４９）、この特定の順番（例えば、＊１２）が、加入者のセルラ装置にプロセス中の呼を転送するための要求を表すことを決定する（１０４９）。アプリケーション・サーバ１３０は、地上線装置（例えば、１８１ａ）からセルラ装置（例えば、１５６ｃ）にプロセス中の呼を転送するためのハンドオフ・アプリケーションを開始する（１０４９）。アプリケーション・サーバ１３０は、加入者のセルラ装置（例えば、１５６ｃ）に対するＴＬＤＮを得るために、セルラ・ネットワーク１１０ｃのＨＬＲ（例えば、１４８ａ）に要求を送信する（１０５２）。セルラ・ネットワーク１１０ｃは要求に対して応答し（１０５５）、加入者のセルラ装置に対するＴＬＤＮを返す。アプリケーション・サーバ１３０は、加入者のセルラ装置とコールレグを設定するために、呼サーバ１２０にＴＬＤＮ情報を提供する（１０５８）。
【００９３】
呼サーバ１２０は、ＴＬＤＮに対するルーティング情報を、ルートサーバ１２５から要求する（１０６１）。ルートサーバ１２５はルーティング情報を得て、呼サーバ１２０にその情報を返す（１０６４）。呼サーバ１２０は、セルラ装置とコールレグを確立するために（１０７０）、セルラ・ネットワークに関連付けられたエッジサーバ１１５ｃに呼をルーティングする（１０６７）。エッジサーバ１１５ａは、ルーティング情報の終了をルートサーバ１２５に問い合わせる（１０７３）。ルートサーバ１２５は、呼に対するルーティング情報の終了を返し（１０７５）、エッジサーバ１１５ｃは、ネットワーク１１０ｃを使用して（１０７６）、加入者のセルラ装置に呼をルーティングする（１０７３）。呼サーバ１２０は、コールレグが接続されたことを、アプリケーション・サーバ１３０に応答する（１０７０）。
【００９４】
コールレグがセルラ装置と確立されるので、アプリケーション・サーバ１３０は、加入者を有する既存の呼にセルラ・レグを追加するためのプロセスを開始する（１０７９）。例えば、 SIP “REINVITE” 命令が使用できる。呼サーバ１２０は、セルラ・ネットワーク１１０ｃに機能を提供しているエッジサーバ１１５ｃと確立したコールレグを、地上線装置を用いてコールレグを管理しているエッジサーバ１１５ｂに送信する（１０８３）。エッジサーバ１１５ｂは、セルラ・ネットワーク１１０ｃに機能を提供しているエッジサーバ１１５ｃを用いたプロセス中の呼の媒体経路を接続する（１０８６）。今やセルラ・レグが媒体経路に接続されたので、アプリケーション・サーバ１３０は、地上線装置に行くコールレグを削除するプロセスを開始する（１０９０）。エッジサーバ１１５ｂは、セルラ装置（例えば、１８１ａ）に行くコールレグを切断し（１０９２）、ネットワーク１１０ｂ中で呼経路を削除する（１０９４）。例示的なプロセス８００，９００と同様に、いくつかの実施例では、ＰＳＴＮ１１０ａに機能を提供しているエッジサーバ１１５ａ、及びセルラ・ネットワーク１１０ｃに機能を提供しているエッジサーバ１１５ｃからの直接媒体経路が存在するように、媒体経路はエッジサーバ１１５ｂを通して削除できる。他の実施例では、エッジサーバ１１５ｄは、優先順位、及び／又は規定によって、呼の始めから終わりまで媒体経路にとどまる。
【００９５】
図１１は、電話通信が取り込まれる他のタイプの通信ネットワークを含む、例示的な他のシステム１１００を示す。上記のプロセスと同様に、これら他のネットワークも、「ダムパイプ」として、サービスプロバイダ・ネットワーク１０５と異なるネットワークに関連付けられた加入者の装置の間で機能をする。これは、サービスプロバイダ・ネットワーク１０５に、好ましいネットワークをまたいで好ましい装置に対して呼を管理、及び配向させ、並びに呼の間に１つの装置から他の装置へハンドオフを実行させる。システム１１００では、エッジサーバ１１５ａ，１１５ｂ，１１５ｃ，１１５ｄは、ネットワーク１１０ａ，１１０ｂ，１１０ｃ，１１０ｄの代わりに（又は、加えて）ネットワーク１１１０ａ，１１１０ｂ，１１１０ｃ，１１１０ｄに対するインターフェースとして機能を提供する。
【００９６】
ネットワーク１１１０ａは、ピアＩＰネットワークである。例えば、ピアＩＰネットワーク１１１０ａは、他のサービスプロバイダ・ネットワーク、又は更に一般的なＩＰインターネット・ネットワークであり得る。ネットワーク１１１０ｂは、 line access gateway （ＬＡＧ）１１２０ａを介してアナログ黒電話１１１５ａ，１１１５ｂが接続されるＩＰネットワークである。ネットワーク１１１０ｃは、 packet data serving node （ＰＤＳＮ）１１２５、及びＲＡＮ１１３５に関連付けられた無線ネットワーク制御装置（ＲＮＣ）１１３０を含むセルラ・ネットワークである。システム１１００は、ＲＡＮ１１３５と通信中の携帯機器１１４０ａ（例えば、電話）、及び１１４０ｂ（例えば、ＰＤＡ）を示す。ネットワーク１１０ｃ，１１１０ｃは、例えば、２Ｇ，２．５Ｇ及び／又は３Ｇセルラ・ネットワークであり得る。ネットワーク１１１０ｄは、ＩＰ電話１１４５ａ，１１４５ｂが接続される広帯域ＩＰネットワーク（例えば、ケーブル会社によって実施されるネットワーク）を表す。また、アナログ黒電話１１５０ａ，１１５０ｂも、ターミナルアダプタ（ＴＡ）１１５５を介して広帯域ＩＰネットワーク１１１０ｄに接続される。ＰＤＡ１１６０は、ＷＬＡＮ１４０と通信中である。
【００９７】
ネットワーク１０５が提供できる共通の電話サービスは、広汎で多彩である。上記のように、アプリケーション・サーバ１３０は全ての呼に対して呼経路にとどまることができ、これらのサービスを適切であるとして適用する。以下に続くのは、ネットワーク１０５が提供できるいくつかの電話サービスの実施例の記載である。これらの実施例が図示されるが、ネットワーク１０５が提供できる可能なサービスの範囲を限定することを意味しない。例えば、サービスは、電話ポータルを提供すること、（例えば、ＡＰＩを使用して）ウェブポータルを提供すること、（例えば、並行呼出を使用して）「Find Me」サービスを提供すること、装置ハンドオフ機能を提供すること、ハイパーリンク・ダイヤリングを可能にすること、通話記録を発生して記憶すること、ハイパーリンク記録を可能にすること、（特定時間における加入者の音声メールを含む）加入者の装置にカスタマイズされたルーティング優先度を提供すること、複数の発呼者をイネーブルすること、短縮ダイヤルをイネーブルすること、複数の「meet-me」会議をイネーブルすること、電子メール、カレンダ、及びコンタクト・データベースとの統合を提供すること、ペアレンタル制御機能を提供すること、「Buddy list」統合を提供すること、スクリーン・ポップ統合を提供すること、プリペイド発呼をイネーブルすること、コールセンタ・アプリケーションをイネーブルすること、ブロック（例えば、不正が多い国なので、特定の国／領域コード、プレミア番号、国際／オペレータ／ＤＡ／他のタイプの呼、ブラックリスト／ホワイトリスト呼制御、等）を提供すること、スクリーニングを提供すること、番号変換を提供すること、音声ＶＰＮを提供すること、カスタマイズされた呼出音トーンを提供すること、等を含み得る。
【００９８】
提供されたこれらのサービスのいくつかは、加入者が受信に慣れている従来のローカル・サービスである。例えば、もし発呼者番号が「表示可能」として符号化されたら、名前機能を有する発呼者ＩＤは、呼に応答する前に、加入者が発呼者の名前と番号を閲覧することを可能にする。この機能を用いて、他と同様に、別々の発呼者ＩＤディスプレイ・ユニット、又は内蔵ディスプレイ・ユニットを有する電話が、この機能を使用するために必要である。番号をダイヤルする前にコード・シーケンス（例えば、＊６７）をダイヤルすることによって起動される呼毎の発呼者ＩＤブロック機能は、現在呼び出し中の人物に（この１回の呼に対してだけ）発呼者の名前と電話番号が表示されることを防ぐ。もし被呼者が発呼者ＩＤ機能と適切なディスプレイ装置を有するなら、被呼者は「使用」又は「匿名」という語を見るだけである。このプレフィックスをダイヤルする結果は、「表示制限」とマークを付けられる呼設定メッセージ（例えば、ネット上にない呼に対するＳＳ７ＩＡＭ）を発することに対する。
【００９９】
加入者が他（第二）者と電話中のとき、呼を待つ機能が提供される。一般に、可聴式の呼を待つトーンは、第三者が呼び出しを試みていることを加入者に示す。例えば、呼を待つトーンは、１０秒間隔で２回供給できる。加入者に対して新しい呼を発している相手は、可聴式の呼出音だけを聞き、第二者は何も聞かない。また、呼を待つことは、スイッチフック・フラッシュによって起動される保持機能も含むことができる。加入者は、連続フラッシュを用いて２者を交代させることができる。もし１つの相手がまだ保留中に加入者が電話を切れば、加入者の電話は自動的に鳴り、電話に出たら直ぐに、加入者は保留された相手に再接続される。キャンセル呼を待つ機能（例えば、一時的にディスエイブルすること）が、呼の前の任意の時間に起動できる。起動するために、加入者は受話器を取り上げて、ダイヤルトーンを聞き、１つのキーの順番（例えば、＊７０）を押し、発呼のために第２のダイヤルトーンを待つ。いったん呼が完了するか、又は加入者が電話を切れば、呼を待つ機能が再起動される。呼を待つ機能を有する発呼者ＩＤは、発呼者ＩＤ機能と呼を待つ機能との組合せである。加入者が電話中のとき、可聴式の呼を待つトーンは、他の相手が呼び出しを試みていることを示す。（呼の月、日、及び時間の他に）呼番号も、発呼者ＩＤディスプレイ・ユニット、又は電話に送信される。
【０１００】
Ｎウェイ呼出機能は、加入者が２又は３以上の相手と異なる番号で同時に話すこと、及びそれによってＮウェイ会議呼を確立することを可能にする。また、加入者は１つの相手を保留にし、他と非公開で話し、次に元のＮウェイ呼出に戻ることもできる。その機能は、メディア・エッジサーバ（例えば、１１５）のブリッジを使用し、例えば、呼の間のスイッチフック・フラッシュの使用によって起動される。自動再呼出機能は、加入者が、１つのキーの順番（例えば、＊６９）をダイヤルすることによって、最後に受信した発呼者番号に対する呼を開始することを可能にする。もし＊６９をダイヤルしたときに番号が話し中なら、回線が空いたときに呼が設定される。そのとき、電話は一連の特別な呼出トーンで鳴り、加入者がハンドセットを持ち上げるとき、呼が接続される。加入者呼出の番号が話し中のとき、自動リダイヤル機能を起動できる。起動するために、加入者は１つのキーの順番（例えば、＊６６）をダイヤルでき、もはや話し中でなくなるまで、ネットワーク（例えば、１０５）は原線をモニタし、もはや話し中でないとき、加入者の電話は一連の特別な呼出トーンで鳴る。加入者がハンドセットを持ち上げるとき、呼が接続される。
【０１０１】
ネットワーク１０５は、（例えば、以下のウェブポータル機能の代替として）それらのサービスを制御するための電話ユーザ・インターフェースを加入者に提供する音声ポータル機能を提供できる。音声ポータル機能は、加入者が、ネットワーク１０５に関連付けられた音声メールボックスに対する音声メールを検索し、（例えば、もし返す呼番号が利用可能なら）音声メールを残した発呼者に呼を返し、音声メールに対して出て行くメッセージを変更し、装置優先度リスト（例えば、装置、及び時間の順序）を変更し、短縮ダイヤル番号を呼び出す、等を可能にする音声起動インターフェースとして機能する。音声ポータルは、例えば、加入者の装置の１つから短縮コード（例えば、＊２３４）をダイヤルすることによって起動できる。又は、加入者の装置の１つを加入者が使用する時間毎に音声ポータルが到着するように、加入者は自動ログイン機能を構成できる。
【０１０２】
音声ポータル機能と同様に、ネットワーク１０５は、新しい顧客がサービスに入会すること、及び既存の顧客が種々の機能に対する管理オプション（例えば、加入者の装置に対するルーティング優先度リストを確立／更新すること、加入者の他の装置に呼がルーティングされる前に呼び出し音の番号を設定すること、短縮ダイヤル番号を定義すること、及び出て行くアナウンスを記録すること）を提供することを可能にするウェブベースのグラフィカル・ユーザ・インターフェースを提供するウェブポータル機能も提供できる。また、ウェブポータル機能は、音声メールを検索し、（例えば、もし返す呼番号が利用可能なら）ダイヤルするためのハイパーリンクを使用して、音声メールを残した発呼者に呼を返し、記録するためのハイパーリンクを使用して音声メールに対して出て行くメッセージを変更すること、「Find Me」呼出音サービスを起動／停止／構成すること、短縮ダイヤル番号を呼び出すこと、通話記録を閲覧すること、等にも使用できる。ウェブポータル機能は、インターネットに接続された任意のウェブブラウザに所望のＵＲＬを入力することによって、加入者により達成できる。
【０１０３】
上記のプロセスでは、リストの順番、又はデフォルトの順番で装置に呼を連続的に配向するために、ネットワーク１０５はルーティング優先度リストを使用する。他の実施例では、ネットワーク１０５は「Find Me」機能を提供して、並行呼出を通して加入者の複数の装置が警報を出されることを可能にする。例えば、加入者の番号に発呼されるときに、どの加入者の装置に警報が出されるべきかを指定するために、加入者はウェブポータルを使用できる。指定された終端装置は、ネットワーク１０５によって警報を出され、上記と類似のプロセスを使用して、ユーザの装置の各々とコールレグを確立することを同時に試みる。１実施例では、装置の任意の１つで呼に応答されるとき、その装置は呼の受け取りを確認しなければならない。これは、例えば、装置が応答されたときにアナウンスを行うこと、「［加入者名］に対する入呼あり。呼を受け取るには１を押せ」を呈示することを含むことができる。呼の受け取りを確認するために応答位置にいるエンドユーザがキーパッド上で「１」キーを押すとき、発呼者は呼に接続され、他の全ての位置における警報が停止される。もし警報を出された位置のどれも呼に応答しないか、又は呼を受け取らなければ、ネットワーク１０５と確立されている加入者の音声メールに発呼者は接続される。
【０１０４】
いくつかの実施例では、加入者を発した、又は受信した全ての呼は、以下の情報と一緒に記録される。即ち、タイムスタンプ、顧客ＶｏＩＰの加入者名、及び呼び出し中／呼び出された電話番号である。例えば、ウェブポータル上で通話記録を閲覧する間、加入者は、通話記録の各電話番号に対するアイコン（即ち、ハイパーリンク）をクリックでき、アイコンは、番号について更に情報を検索するためのウェブサイト anywho.com に加入者をリンクさせる。同様に、ログの各電話番号に関連付けられた特別なクリック・ツウ・ダイヤル・リンクをクリックすることによって、ダイヤル機能に対するハイパーリンクは、通話記録上で利用可能である。もし入呼が音声メールに送信されていたら、その呼に対するハイパーリンクが表示される。ハイパーリンクをクリックすることが、（もし、あれば）ユーザの好ましいメディア・プレーヤを介して対応する音声メール・メッセージを再生させる。
【０１０５】
いくつかの実施例では、短縮ダイヤル番号、及び関連するラベルを提供するために、加入者はウェブポータルを使用できる。これらの番号は、３つの方法の１つ、即ち、（ウェブポータルを介する）クリック・ツウ・ダイヤル、音声ポータルを介して、又はハンドセットから直接、いくつかのキーの順番（例えば、＊１３、及び短縮電話番号の参照ディジット）をダイヤルすることによって、呼び出すことができる。
【０１０６】
パーソナル会議機能は、加入者が、ウェブインターフェースを使用して、複数の参加者に対する会議呼出を予定することを可能にする。加入者は、会議を直ちに（又は、未来のいつかに）予定でき、会議の所要時間を指定できる。アプリケーション・サーバ１３０は、会議ブリッジ（ダイヤルイン）番号、及びＰＩＮコードを割り当て、ＰＩＮコードは、加入者が会議参加者に配布できる。ＰＩＮコードは、予定された会議時間の間だけ起動される。参加者は会議ブリッジ番号をダイヤルし、ＰＩＮコードの入力を促される。もし会議がアクティブなら、発呼者はネットワーク１０５のブリッジング・メディア・サーバに接続され、他の発呼者と一緒に同じ会議に参加する。他の実施例では、加入者は、会議に対する全ての参加者の電話番号を入力できる。予定された時間に、ネットワーク１０５は、リスト中の全ての参加者への呼を開始する。パーソナル会議は、ユーザがどの様に参加するかという点で、Ｎウェイ呼出とは異なる。Ｎウェイ呼出では、加入者はスイッチフック・フラッシュを使用して、新しい参加者の各々にダイヤルする。パーソナル会議では、各参加者は別々にダイヤルし、会議ＰＩＮコードに基づいてアプリケーション・サーバによって一緒に参加するか、又はネットワーク１０５がダイヤルして、発呼者を自動的に接続する。また、パーソナル会議も、多くの他の機能（例えば、トーンを結合して放置すること、任意の電話から無音化／有音化すること、会議終了全ての参加者を自動的に削除すること、呼毎の参加者の番号の制限を構成すること、最大所要時間、等）、無効な（又は、非アクティブな）ＰＩＮコードの検出、適切なアナウンスを再生すること、等を提供できる。
【０１０７】
音声メール機能は、（例えば、呼び出し音サイクルの）ユーザ構成可能なタイムアウトの後に加入者の終端装置が話し中である（又は、応答しない）イベントで、汎用の呼出応答機能を提供する。加入者は、サービスを構成するウェブポータルを使用できる。加入者は、３つのタイプの出て行くメッセージ（例えば、記録される前のシステム挨拶、加入者の名前のテキスト−スピーチ・レンダリング、又は加入者によって記録された個別化されたメッセージ）から選択できる。また、加入者は、入ってくる音声メール・メッセージに対する一般的処置も指定できる。加入者は、音声メール・メッセージに記憶されたメッセージを記憶するか、電子メール・アドレスへ電子メールに添付して送信するか、又は両方かを選択できる。加えて、加入者は、音声メール・メッセージが受信されたときに警報を出す電子メールのアドレスも指定できる。加入者の音声メールを閲覧するために、加入者がウェブポータルを使用するとき、加入者は、加入者が選択した電子メールのアドレスに音声メールの特定の部分を転送することを選択できる。
【０１０８】
また、音声メールシステムは、その様に取り付けられた加入者の電話装置のメッセージを待つインジケータ・ライト（又は、電話の近くでメッセージを待つ別々のインジケータ装置）を起動／停止し、及び／又は音声メールを待っていることを示すために、加入者がハンドセットを持ち上げるとき、スタッタ・ダイヤルトーン、若しくは特定のメッセージ（例えば、お待ちのメッセージが届きました）を加入者に対して再生する。このメッセージを待つ指示は、例えば、ＳＩＰ通知メッセージを介して達成できる。音声メール・メッセージ記憶装置に記憶された音声メール・メッセージは、ＤＴＭＦ（又は、ウェブサイト・アクセス）を介して検索でき、保存でき、及び削除できる。ウェブポータルの音声メール・ページから音声メールにアクセスすることに加えて、通話記録から加入者は音声メールにアクセスできる。ウェブポータルの音声メール・ページでは、音声メールを残した発呼者の電話番号が、受信した音声メール・メッセージを表すハイパーリンクと一緒に表示される。音声メールを残した発呼者の電話番号を呼び出すために、加入者はハイパーリンクを使用できる。
【０１０９】
ここに記載される実施例では、呼を配向し、加入者の装置を識別するために電話番号を使用することが注目に値する。もし信号伝達プロトコル、及び電話装置が認められたら、呼を配向し、加入者の装置を識別するために英数字が使用できる。例えば、呼が配向されるべきユーザを一意に識別するために、電話番号の代わりに uniform resource locator （ＵＲＬ）が使用できる。その様な場合、加入者の装置の各々に同一のＵＲＬが割り当てられる。
【０１１０】
上記のテクニックは、ディジタル電子回路で、又はコンピュータ・ハードウェア、ファームウェア、ソフトウェアで、又はそれらの組合せで実施できる。実施例は、データ処理装置（例えば、プログラム可能なプロセッサ、コンピュータ、又は複数のコンピュータ）によって実行するための（又は、その動作を制御するための）コンピュータ・プログラム・プロダクト、即ち、情報媒体（例えば、機械読み取り可能な記憶装置、又は伝達信号）中で実施されるコンピュータプログラムであり得る。コンピュータプログラムは、コンパイル言語、インタープリタ言語を含む任意の形式のプログラム言語で書くことができ、スタンドアロン・プログラム、又はモジュール、コンポーネント、サブルーチン、又はコンピュータ環境での使用に対して適切な他のユニットを含む任意の形態で展開できる。コンピュータプログラムは、１つのコンピュータ、又は複数のコンピュータで１つの側で、又は複数のサイトにわたって分散し、通信ネットワークによって相互接続して実行されるように展開できる。
【０１１１】
方法のステップは、入力データを操作し、出力を発生することにより、本発明の機能を実行するためのコンピュータプログラムを１又は複数のプログラム可能なプロセッサが実行することによって実施できる。また、方法のステップは、特別な目的のための論理回路、例えば、ＦＰＧＡ（書替え可能ゲートアレイ）、又はＡＳＩＣ（特定用途向け集積回路）によって実施できる。モジュールは、コンピュータプログラム、及び／又はプロセッサ／その機能を実施する特別な回路の一部であることが好ましい。
【０１１２】
一例として、コンピュータプログラムの実行に適切なプロセッサは、一般的な、及び特別な目的のマイクロプロセッサの両方、並びに任意の種類のディジタルコンピュータの１又は複数のプロセッサを含む。一般に、プロセッサは、読出し専用メモリ、ランダムアクセスメモリ、又は両方から命令とデータを受信する。コンピュータの基本的素子は、命令を実行するためのプロセッサ、及び命令とデータを記憶するための１又は複数のメモリ装置である。一般に、コンピュータも、データを記憶するための１又は複数の大容量記憶装置（例えば、磁気ディスク、光磁気ディスク、又は光ディスク）を含むか、又はデータを受信／転送するために動的に結合される。データ転送、及び命令は、通信ネットワークにまたがって起こり得る。コンピュータプログラム、命令、及びデータを実施するために適切な情報媒体は、全ての形式の不揮発性メモリを含み、一例として、半導体メモリ装置（例えば、ＥＰＲＯＭ、ＥＥＰＲＯＭ、及びフラッシュメモリ装置）、磁気ディスク（例えば、内蔵ハードディスク、又はリムーバブル・ディスク）、光磁気ディスク、ＣＤ−ＲＯＭ、及びＤＶＤ−ＲＯＭを含む。プロセッサ、及びメモリは、特別な目的のための論理回路によって実施されるか、又は内蔵される。
【０１１３】
ここで使用されるように、用語「モジュール」及び「機能」は、特定のタスクを実行するソフトウェア、又はハードウェア・コンポーネントを意味するが、限定はされない。モジュールは、アドレス指定可能な記憶媒体上に存在するように都合よく構成でき、１又は複数のプロセッサを実行できるように構成できる。モジュールは、一般目的の集積回路（ＩＣ）、ＦＰＧＡ、又はＡＳＩＣを用いて、完全に（又は、部分的に）実施できる。従って、モジュールは、一例として、コンポーネント（例えば、ソフトウェア・コンポーネント、オブジェクト指向ソフトウェア・コンポーネント、クラス・コンポーネント、及びタスク・コンポーネント、プロセス、関数、属性、手順、サブルーチン、プログラムコードのセグメント、ドライバ、ファームウェア、マイクロコード、回路、データ、データベース、データ構造、テーブル、アレイ、及び変数）を含む。構成要素、及びモジュールで提供される機能は、更に少ないコンポーネント、及びモジュールに組み合わせられるか、又は追加のコンポーネント、及びモジュールに分けられる。加えて、構成要素、及びモジュールは、コンピュータ、コンピュータ・サーバ、データ通信基盤機器（例えば、アプリケーションによってイネーブルされるスイッチ、又はルータ）、又は電話通信基盤機器（例えば、公衆電話、又は個人電話の交換機、又は構内交換機（ＰＢＸ））を含む多くの異なるプラットフォームで都合よく実施される。これらの場合、選ばれたプラットフォームに特有のアプリケーションで書かれることによるか、又は１又は複数の外部アプリケーション・エンジンにプラットフォームをインターフェイスさせることによるかの何れかで実施される。
【０１１４】
ユーザとの対話を提供するために、上記のテクニックは、ユーザに情報を表示するためのディスプレイ装置（例えば、ＣＲＴ（陰極線管）、又はＬＣＤ（液晶ディスプレイ）モニタ）、ユーザがコンピュータに入力（例えば、ユーザ・インターフェース装置との対話）を提供できるキーパッド、及びポインティング装置（例えば、マウス、又はトラックボール）を有するコンピュータ上で実施できる。他の種類の装置は、ユーザとの対話を提供するために同様に使用できる。例えば、ユーザに提供されるフィードバックは、任意の形態の知覚的フィードバック（例えば、視覚的フィードバック、聴覚的フィードバック、又は触覚的フィードバック）であり、ユーザからの入力は、音響的、口述的、又は触覚的入力を含む任意の形態である。
【０１１５】
上記のテクニックは、後置コンポーネント（例えば、データサーバ）、及び／又はミドルウェア・コンポーネント（例えば、アプリケーション・サーバ）、及び／又は前置コンポーネント（例えば、グラフィカル・ユーザ・インターフェース、及び／又はそれを通してユーザが実施例と対話できるウェブブラウザを有するクライアント・コンピュータ）、又はその種の後置、ミドルウェア、又は前置コンポーネントの組合せを含む分布型のコンピュータ・システムで実施できる。システムの構成要素は、任意の形態、又はディジタル・データ通信の媒体（例えば、通信ネットワーク）によって相互接続できる。通信ネットワークの実施例は、狭域ネットワーク（ＬＡＮ）、及び広域ネットワーク（ＷＡＮ）（例えば、インターネット）を含み、有線ネットワーク、及び無線ネットワークの両方を含む。また、通信ネットワークは、ＰＳＴＮの全部、又は一部（例えば、一部が特定のキャリアによって所有される）も呼び出せる。
【０１１６】
コンピュータ・システムは、クライアント、及びサーバを含み得る。一般に、クライアント、及びサーバは互いに離れており、通信ネットワークを通して対話する。クライアント、及びサーバの関係は、各コンピュータで実行されるコンピュータプログラムによって生じ、互いにクライアント−サーバ関係を有する。
【０１１７】
以上、本発明の好ましい実施例について図示し記載したが、特許請求の範囲によって定められる本発明の範囲から逸脱することなしに種々の変形および変更がなし得ることは、当業者には明らかであろう。
【図面の簡単な説明】
【０１１８】
【図１Ａ】複数のネットワークに関連付けられた複数の装置に対する共通の電話サービスの提供に関わるネットワークと装置を例示するブロック図である。
【図１Ｂ】複数のネットワークに関連付けられた複数の装置に対する共通の電話サービスの提供に関わるネットワークと装置を例示するブロック図である。
【図２】複数のネットワークに関連付けられた複数の装置に対する共通の電話サービスの提供に関わるプロセスを例示するブロック図である。
【図３Ａ】複数のネットワークに関連付けられた複数の装置に対する共通の電話サービスの提供に関わるプロセスを例示するブロック図である。
【図３Ｂ】複数のネットワークに関連付けられた複数の装置に対する共通の電話サービスの提供に関わるプロセスを例示するブロック図である。
【図４Ａ】複数のネットワークに関連付けられた複数の装置に対する共通の電話サービスの提供に関わるプロセスを例示するブロック図である。
【図４Ｂ】複数のネットワークに関連付けられた複数の装置に対する共通の電話サービスの提供に関わるプロセスを例示するブロック図である。
【図５】複数のネットワークに関連付けられた複数の装置に対する共通の電話サービスの提供に関わるプロセスを例示するブロック図である。
【図６Ａ】複数のネットワークに関連付けられた複数の装置に対する共通の電話サービスの提供に関わるプロセスを例示するブロック図である。
【図６Ｂ】複数のネットワークに関連付けられた複数の装置に対する共通の電話サービスの提供に関わるプロセスを例示するブロック図である。
【図７Ａ】複数のネットワークに関連付けられた複数の装置に対する共通の電話サービスの提供に関わるプロセスを例示するブロック図である。
【図７Ｂ】複数のネットワークに関連付けられた複数の装置に対する共通の電話サービスの提供に関わるプロセスを例示するブロック図である。
【図７Ｃ】複数のネットワークに関連付けられた複数の装置に対する共通の電話サービスの提供に関わるプロセスを例示するブロック図である。
【図８Ａ】複数のネットワークに関連付けられた複数の装置に対する共通の電話サービスの提供に関わるプロセスを例示するブロック図である。
【図８Ｂ】複数のネットワークに関連付けられた複数の装置に対する共通の電話サービスの提供に関わるプロセスを例示するブロック図である。
【図８Ｃ】複数のネットワークに関連付けられた複数の装置に対する共通の電話サービスの提供に関わるプロセスを例示するブロック図である。
【図９Ａ】複数のネットワークに関連付けられた複数の装置に対する共通の電話サービスの提供に関わるプロセスを例示するブロック図である。
【図９Ｂ】複数のネットワークに関連付けられた複数の装置に対する共通の電話サービスの提供に関わるプロセスを例示するブロック図である。
【図９Ｃ】複数のネットワークに関連付けられた複数の装置に対する共通の電話サービスの提供に関わるプロセスを例示するブロック図である。
【図１０Ａ】複数のネットワークに関連付けられた複数の装置に対する共通の電話サービスの提供に関わるプロセスを例示するブロック図である。
【図１０Ｂ】複数のネットワークに関連付けられた複数の装置に対する共通の電話サービスの提供に関わるプロセスを例示するブロック図である。
【図１０Ｃ】複数のネットワークに関連付けられた複数の装置に対する共通の電話サービスの提供に関わるプロセスを例示するブロック図である。
【図１１】複数のネットワークに関連付けられた複数の装置に対する共通の電話サービスの提供に関わる追加のネットワークと装置を例示するブロック図である。
【符号の説明】
【０１１９】
１００    システム
１０５，１１０ａ，１１０ｂ，１１０ｃ，１１０ｄ，１１０ｅ    通信ネットワーク
１１５，１２０，１２５，１３０    サーバ
１１５ａ，１１５ｂ，１１５ｃ，１１５ｄ    エッジサーバ
１２０    呼サーバ
１２５    ルートサーバ
１３０  アプリケーション・サーバ
１３５  加入者データベース
１４０    ＷＬＡＮ
１４３    ＷＬＡＮ電話
１４５    ＧＭＳＣ
１４８ａ，１４８ｂ    ホーム位置レジスタ（ＨＬＲ）
１５０ａ，１５０ｂ，１５０ｃ，１５０ｄ    移動通信交換局（ＭＳＣ）
１５３ａ，１５３ｂ，１５３ｃ，１５３ｄ    無線アクセス・ネットワーク（ＲＡＮ）
１５６ａ，１５６ｂ，１５６ｃ，１５６ｄ，    セルラ携帯機器
１６０    物理的装置
１６３    ディスプレイ
１６６    キーパッド
１６９    第１無線装置
１７２    第２無線装置
１７５    プロセッサ要素
１７８ａ，１７８ｂ，１７８ｃ，    ＴＤＭスイッチ
１８０    電話装置
１８１ａ，１８１ｂ，１８１ｃ，１８１ｄ    アナログ黒電話
１１１０ａ，１１１０ｂ，１１１０ｃ，１１１０ｄ    ネットワーク
１１４５ａ，１１４５ｂ    ＩＰ電話
１１５０ａ，１１５０ｂ    アナログ黒電話
【図１Ａ】
2008516534.tif 000003
【図１Ｂ】
2008516534.tif 000004
【図２】
2008516534.tif 000005
【図３Ａ】
2008516534.tif 000006
【図３Ｂ】
2008516534.tif 000007
【図４Ａ】
2008516534.tif 000008
【図４Ｂ】
2008516534.tif 000009
【図５】
2008516534.tif 000010
【図６Ａ】
2008516534.tif 000011
【図６Ｂ】
2008516534.tif 000012
【図７Ａ】
2008516534.tif 000013
【図７Ｂ】
2008516534.tif 000014
【図７Ｃ】
2008516534.tif 000015
【図８Ａ】
2008516534.tif 000016
【図８Ｂ】
2008516534.tif 000017
【図８Ｃ】
2008516534.tif 000018
【図９Ａ】
2008516534.tif 000019
【図９Ｂ】
2008516534.tif 000020
【図９Ｃ】
2008516534.tif 000021
【図１０Ａ】
2008516534.tif 000022
【図１０Ｂ】
2008516534.tif 000023
【図１０Ｃ】
2008516534.tif 000024
【図１１】
2008516534.tif 000025
【国際調査報告】
2008516534.tif 000026
2008516534.tif 000027
2008516534.tif 000028
2008516534.tif 000029